(57)【特許請求の範囲】
【請求項１】
消火ホースを収納した消火栓装置に於いて、
前面に開口した箱形の装置本体と、
展開した状態で前記開口を覆って閉鎖し、折り畳まれた状態で前記開口を開放するスクリーンと、
前記スクリーンの開閉方向の両端及びその間に所定間隔で配置した複数本のガイドバー部材と、
前記開口を形成する開口枠の相対する枠面の内側に配置し、前記スクリーンの開閉方向と直交する両サイドを前記開口枠の内側に位置させた状態で、前記ガイドバー部材の両端を案内移動させるガイド部と、
前記スクリーンの一端に配置したガイドバー部材を一方の開口端部に着脱自在に支持すると共に前記スクリーンの他端に配置したガイドバー部材を他方の開口端部に固定して前記スクリーンを展開状態とし、前記スクリーンの一端の支持を解除することにより前記スクリーンを折り畳み状態に移動させるスクリーン開放機構と、
を備えたことを特徴とする消火栓装置。
【請求項２】
請求項１記載の消火栓装置に於いて、前記スクリーンを展開状態から下方向、上方向、右方向又は左方向に移動して折り畳み状態とすることを特徴とする消火栓装置。
【請求項３】
請求項１記載の消火栓装置に於いて、
前記スクリーンを展開状態から下方向又は上方向に移動して折り畳み状態とする場合、前記スクリーンの裏面に配置した前記複数のガイドバー部材の間にウェイトバー部材を配置したことを特徴とする消火栓装置。
【請求項４】
請求項３記載の消火栓装置に於いて、前記ウェイトバー部材の両端を前記ガイド部から外れたフリー状態に位置させる構造としたことを特徴とする消火栓装置。
【請求項５】
請求項３記載の消火栓装置に於いて、前記ウェイトバー部材の両端に、前記ガイドバー部材より前面への移動を規制するストッパー部を設けたことを特徴とする消火栓装置。
【請求項６】
請求項３記載の消火栓装置に於いて、前記開口枠の裏面に相対した前記スクリーンの裏面にマグネット部材を配置したことを特徴とする消火栓装置。
【請求項７】
請求項３記載の消火栓装置に於いて、前記ウェイトバー部材の両端に、前記開口枠の裏面に前記スクリーンを介して前記ウェイトバー部材の両端を吸着させるマグネット部材を設けたことを特徴とする消火栓装置。
【請求項８】
請求項３乃至７の何れかに記載の消火栓装置に於いて、前記スクリーンに配置したウェイトバー部材の閉方向側に隣接して配置した前記ガイドバー部材との間隔に対し、前記ウェイトバー部材の開方向側に隣接して配置した前記ガイドバー部材との間隔を短くしたことを特徴とする消火栓装置。
【請求項９】
請求項１記載の消火栓装置に於いて、
前記ガイドバー部材の両端を前記ガイド部に沿って案内移動しながら抜け止めする抜け止め構造としたことを特徴とする消火栓装置。
【請求項１０】
請求項１記載の消火栓装置に於いて、
前記スクリーンを展開状態から下方向に移動して折り畳み状態とする場合、前記スクリーンの裏面に配置した上端のガイドバー部材を、円柱、円筒、又は半円を含む上淵を彎曲面とした部材としたことを特徴とする消火栓装置。
【請求項１１】
請求項１記載の消火栓装置に於いて、
前記スクリーン開放機構により前記スクリーンの端部に配置した前記ガイドバー部材を支持した状態で開方向に付勢し、前記ガイドバー部材の支持を解除した場合に開方向に突き離して移動させるスクリーン突き離し機構を設けたことを特徴とする消火栓装置。
【請求項１２】
請求項１記載の消火栓装置に於いて、前記スクリーンを展開状態から下方向又は上方向に移動して折り畳み状態とする場合、前記スクリーン開放機構は、前記スクリーンを折り畳み状態に移動させる駆動機構を備えたことを特徴とする消火栓装置。
【請求項１３】
消火ホースを収納した消火栓装置に於いて、
前面に開口した箱形の装置本体と、
展開した状態で前記開口を覆って閉鎖し、折り畳まれた状態で前記開口を開放するスクリーンと、
前記スクリーンの裏面の開閉方向の両端及びその間に所定間隔で配置した複数本のガイドバー部材と、
前記スクリーンの裏面に配置した前記複数のガイドバー部材の間に配置した複数本のウェイトバー部材と、
前記ウェイトバー部材に設けられ、前記スクリーンの前記装置本体の前面への移動を規制するストッパー部と、
前記スクリーンの両側を前記開口の内側に位置させた状態で、前記ガイドバー部材の両端を案内移動させるガイド部と、
前記スクリーンの一端に配置したガイドバー部材を一方の開口端部に着脱自在に支持すると共に前記スクリーンの他端に配置したガイドバー部材を他方の開口端部に固定して前記スクリーンを展開状態とし、前記スクリーンの一端の支持を解除することにより前記スクリーンを折り畳み状態に移動させるスクリーン開放機構と、
を備えたことを特徴とする消火栓装置。
【請求項１４】
前面に開口した箱形の装置本体と、
ノズル付きのホースと、
前記ノズル付きのホースを前記装置本体の開口から取出し自在に前記装置本体に収納するホース収納部と、
前記装置本体の開口に設けられ、前記装置本体の開口を閉鎖するスクリーン扉と、
を備えた消火栓装置であって、
前記スクリーン扉は、
前記装置本体の開口の一部となる扉開口と、
下側を固定して上方に展開して保持することにより前記扉開口を閉鎖し、上端の保持を解除することにより下部に折り畳んで前記扉開口を開放するスクリーンと、
を設け、前記スクリーンの両側を前記扉開口を形成する開口枠の内側に位置させた状態で前記スクリーンを上方に展開して保持することにより前記装置本体の開口を覆って閉鎖し、スクリーン上端の保持を解除することにより前記スクリーンを前記扉開口の下部内側に折り畳んで開口を開放し、
前記装置本体と前記スクリーン扉を分割し、前記装置本体の開口に前記スクリーン扉を取外し自在に構成したことを特徴とする消火栓装置。
【請求項１５】
請求項１４記載の消火栓装置に於いて、
前記スクリーン扉は、
前記装置本体の開口に取付け固定する扉枠と、
前記スクリーンの裏面の上下両端及びその間に所定間隔で配置した複数本のガイドバー部材と、
前記スクリーンの裏面に配置した前記ガイドバー部材の間に配置した複数本のウェイトバー部材と、
前記扉枠の左右両側の開口枠の内側に配置され、前記スクリーンの左右両側を前記開口枠の内側に位置させた状態で、前記ガイドバー部材の左右両端をガイド溝に摺接して上下方向に案内移動させる第１ガイドレールと、
前記第１ガイドレールの内側に配置され、前記ウェイトバーの両端を摺接して奥行方向への動きを規制すると共に上下方向に案内移動させる第２ガイドレールと、
前記スクリーンの上端のガイドバー部材を保持することで前記スクリーンを展開した閉鎖状態に保持し、所定の操作により前記上端のガイドバー部材の保持を解除して前記スクリーンを折り畳んで開放状態とするスクリーン開閉機構と、
を備えたことを特徴とする消火栓装置。
【請求項１６】
請求項１５記載の消火栓装置に於いて、前記スクリーン開閉機構は、前記スクリーンの上端のガイドバー部材に上向きにバックル金具（尾錠金具）を設ける共に前記扉枠の上部の開口枠にバックル装置（尾錠装置）を設け、前記バックル金具を前記バックル装置に挿入して保持することで前記スクリーンを展開した閉鎖状態に保持し、前記バックル装置の所定の操作により前記バックル金具の保持を解除して前記スクリーンを折り畳んで開放状態とすることを特徴とする消火栓装置。
【請求項１７】
請求項１５記載の消火栓装置に於いて、前記スクリーンの裏面に配置した前記ウェイトバー部材の上側に隣接して配置した前記ガイドバー部材との間隔に対し、前記ウェイトバー部材の下側に隣接して配置した前記ガイドバー部材との間隔を短くしたことを特徴とする消火栓装置。
【請求項１８】
請求項１５記載の消火栓装置に於いて、
前記スクリーンの裏面に配置した複数のガイドバー部材は矩形断面をもつ板状のバー部材であり、
前記複数のガイドバー部材の内の上下端に配置したガイドバー部材は両端に設けたローラを前記第１ガイドレールのガイド溝に収納して回転自在に支持し、
前記上下端の間に配置したガイドバー部材は両端を前記第１ガイドレールのガイド溝に回転しないように収納したことを特徴とする消火栓装置。
【請求項１９】
請求項１５記載の消火栓装置に於いて、
前記第２ガイドレールは、前記スクリーンを展開して前記扉開口を閉鎖した状態で、下から１本目のウェイトバー部材と下から２本目のガイドバー部材との間となる所定位置をガイドレール終端とすると共に、前記ガイドレール終端から内側に湾曲して延在する湾曲ガイドレールを一体に形成し、
前記スクリーンを展開した状態で前記ガイドレール終端を外れた下側に位置するウェイトバー部材の両端の奥行方向への動きを規制する張出片を前記扉枠の内側両端に設けたことを特徴とする消火栓装置。
【請求項２０】
請求項１５記載の消火栓装置に於いて、前記ホース収納部は、円環状に内巻する前記ホースの左右両端側及び又は上下両端側を外側から保持するホースフレームを備え、内巻した前記ホースの下側に、前記折り畳まれたスクリーンを収納可能な空き空間を形成するように前記ホースフレームを前記装置本体の背面内壁に固定したことを特徴とする消火栓装置。
【請求項２１】
請求項２０記載の消火栓装置に於いて、前記ホースフレームは、開口側に矩形に張出して平行配置した一対の矩形フレーム部と、前記一対の矩形フレーム部の背面側の端部を前記矩形フレーム部に直交する方向で連結する一対のフレーム固定部とを備え、前記矩形フレーム部及び前記フレーム固定部を連続する一部材として形成したことを特徴とする消火栓装置。
【請求項２２】
請求項２１記載の消火栓装置に於いて、前記ホースフレームは、前記一対の矩形フレーム部が左右に並んだ縦方向又は上下に並んだ横方向に位置するように、前記一対のフレーム固定部を前記装置本体の背面内壁に固定したことを特徴とする消火栓装置。
【請求項２３】
請求項１、１３又は１４の何れかに記載の消火栓装置に於いて、前記スクリーンを不燃性、難燃性又は耐火性としたことを特徴とする消火栓装置。
【発明の詳細な説明】
【技術分野】
【０００１】
本発明は、屋内やトンネル等に設置され、消火ホースを収納した消火栓装置に関する。
【背景技術】
【０００２】
従来、火災を消火するための消火栓装置としては、屋内用を例にとると、図２７に示すものが知られている。なお、図２７（Ａ）は消火栓扉を閉じた状態を示し、図２７（Ｂ）は消火栓扉を開いた状態を示す。なお、図２７（Ｂ）は内部構造を省略している。
【０００３】
図２７（Ａ）に示すように、消火栓装置２００は金属製の収納箱２０２の前面に、開閉自在に消火栓扉２０４を設け、また消火栓扉２０４の上部に通報パネル２０６を設け、ここに発信機２０８、赤色表示灯２１０、及び内蔵した警報用スピーカに対応して音響孔２１２を設けている。
【０００４】
赤色表示灯２１０は常時点灯し、消火栓装置２００の設置場所が遠方から視認できるようにしている。火災時には、発信機２０８中央に設けたボタンを押圧操作することでボタン内側のスイッチをオンすると、発信信号が監視室の防災受信盤（火災受信機）に送信されて防災受信盤の報知部から火災警報が報知出力されると共に、防災受信盤から引き出された制御線に接続されて各所に設置された地区音響端末に対して地区音響信号が送られて所定の各場所でも警報音が出力される。
【０００５】
収納箱２０２の内部には消火栓弁を配置し、消火栓弁には先端にノズルを装着した消火ホースを連結接続して引き出し自在に収納している。
【０００６】
通常時、消火栓装置２００の消火栓扉２０４は図２７（Ａ）に示した如く閉じられており、適宜の扉ロック機構等により閉状態に維持されている。そして火災が発生した場合には、扉ロック機構等を操作して扉閉状態を解除して図２７（Ｂ）のように消火栓扉２０４を開き、例えば一人がノズルを持ちながら消火ホースを引き出して火災発生場所（消火対象）に向かい、もう一人が発信機２０８を操作して通報すると共に消火栓弁２１４を開放操作するといったように、二人ないしそれ以上で消火活動を行う。これは、ホースの引出中に消火栓弁を開放すると、水圧とその反動等によりホースが適切に引き出せなくなったり、危険が生じたりするといった問題を回避するため、また使用中、消火栓扉の開放を人の手で維持する必要がある等のためである。
【０００７】
このように、少なくとも二人操作を必要とする消火栓装置は１号消火栓として法的に規格が定められており、一方、一人操作を可能とする消火栓として放水による反動力を抑えると共に保形ホースを使用した２号消火栓も法的に規格が定められている。
【先行技術文献】
【特許文献】
【０００８】
【特許文献１】特開平９−３８２３１号公報
【特許文献２】特開２０１２−１７６１８１号公報
【発明の概要】
【発明が解決しようとする課題】
【０００９】
しかしながら、このような従来の消火栓装置にあっては、消火栓扉は横に回動して開放する構成が多く、放水作業を開始するときに、開放した消火栓扉が放水中にホースを挟むなど放水作業に悪影響を及ぼさないようにするため、係員が消火栓扉の開放を保持することが必要となる。また、扉の開放を維持した場合、扉が通路を遮って避難通路を遮ってしまう問題がある。
【００１０】
この問題を解決するため本願出願人にあっては、消火栓弁と消火ホースを収納した収納箱の開口を、ファスナーにより開閉するスクリーン（シート）を用いて覆うようにし、消火栓扉として機能するシートを開いた場合に、装置前側に消火栓扉のように突出せずに消火作業の邪魔にならないようにした消火栓装置を提案している（特許文献２）。
【００１１】
しかしながら、ファスナーにより開閉するスクリーンを用いた消火栓装置にあっては、例えば開口上部のファスナーを開いてスクリーンを降ろした場合、開口下部の外側にスクリーンが飛び出した状態で折り畳まれ、外側に飛び出したスクリーンの折り畳み部分が開口からホースを引き出す際に邪魔となり、また消火操作の際に踏みつけられて汚れたり、損傷したりする問題があり、また、ファスナーによるスクリーンの開閉では操作性が十分とはいえない問題もある。
【００１２】
本発明は、スクリーンを開放した場合の折り畳みによる外側への飛び出しを解消して消火作業を行い易くする消火栓装置を提供することを目的とする。
【課題を解決するための手段】
【００１３】
（消火栓装置）
本発明は、消火ホースを収納した消火栓装置に於いて、
前面に開口した箱形の装置本体と、
展開した状態で開口を覆って閉鎖し、折り畳まれた状態で開口を開放するスクリーンと、
スクリーンの開閉方向の両端及びその間に所定間隔で配置した複数本のガイドバー部材と、
開口を形成する開口枠の相対する枠面の内側に配置し、スクリーンの開閉方向と直行する方向の両サイドを開口枠の内側に位置させた状態で、ガイドバー部材の両端を案内移動させるガイド部と、
スクリーンの一端に配置したガイドバー部材を一方の開口端部に着脱自在に支持すると共にスクリーンの他端に配置したガイドバー部材を他方の開口端部に固定してスクリーンを展開状態とし、スクリーンの一端の支持を解除することによりスクリーンを折り畳み状態に移動させるスクリーン開放機構と、
を備えたことを特徴とする。
【００１４】
（上下左右方向の移動による折畳み）
スクリーンを展開状態から下方向、上方向、右方向又は左方向に移動して折り畳み状態とする。
【００１５】
（上下方向の移動による折畳みとウェイトバー）
スクリーンを展開状態から下方向又は上方向に移動して折り畳み状態とする場合、スクリーンの裏面に配置した複数のガイドバー部材の間にウェイトバー部材を配置する。
【００１６】
（ウェイトバー部材をガイド部で案内しない構造）
ウェイトバー部材の両端をガイド部から外れたフリー状態に位置させる構造とする。
【００１７】
（ウェイトバー部材のストッパー部）
ウェイトバー部材の両端に、ガイドバー部材より前面への移動を規制するストッパー部を設ける。
【００１８】
（マグネット吸着）
開口枠の裏面に相対したスクリーンの裏面にマグネット部材を配置する。またウェイトバー部材の両端に、開口枠の裏面にスクリーンを介してウェイトバー部材の両端を吸着させるマグネット部材を設けても良い。
【００１９】
（ガイドバー部材とウェイトバー部材の間隔）
スクリーンに配置したウェイトバー部材の閉方向側に隣接して配置したガイドバー部材との間隔（Ｌ１）に対し、ウェイトバー部材の開方向側に隣接して配置したガイドバー部材との間隔（Ｌ２）を短くする。
【００２０】
（ガイドバー部材の抜止めガイド構造）
ガイドバー部材の両端をガイド部に沿って案内移動しながら抜け止めする抜け止め構造とする。
【００２１】
（スクリーン下方向の移動による上端ガイドバー）
スクリーンを展開状態から下方向に移動して折り畳み状態とする場合、スクリーンの裏面に配置した上端のガイドバー部材を、円柱、円筒、又は半円を含む上淵を彎曲面とした部材とする。
【００２２】
（スクリーン突き離し機構）
スクリーン開放機構によりスクリーンの端部に配置したガイドバー部材を支持した状態で開方向側に付勢し、ガイドバー部材の支持を解除した場合に開方向側に突き離して移動させるスクリーン突き離し機構を設ける。
【００２３】
（スクリーンを上方向又は左右方向へ移動する駆動機構）
スクリーンを展開状態から下方向又は左右方向に移動して折り畳み状態とする場合、スクリーン開放機構は、スクリーンを折り畳み状態に移動させる駆動機構を備える。
【００２４】
（本発明の他の形態）
本発明は、消火ホースを収納した消火栓装置に於いて、
前面に開口した箱形の装置本体と、
展開した状態で開口を覆って閉鎖し、折り畳まれた状態で開口を開放するスクリーンと、
スクリーンの裏面の開閉方向の両端及びその間に所定間隔で配置した複数本のガイドバー部材と、
スクリーンの裏面に配置した複数のガイドバー部材の間に配置した複数本のウェイトバー部材と、
ウェイトバー部材に設けられ、スクリーンの装置本体の前面への移動を規制するストッパー部と、
スクリーンの両側を開口の内側に位置させた状態で、ガイドバー部材の両端を案内移動させるガイド部と、
スクリーンの一端に配置したガイドバー部材を一方の開口端部に着脱自在に支持すると共にスクリーンの他端に配置したガイドバー部材を他方の開口端部に固定してスクリーンを展開状態とし、スクリーンの一端の支持を解除することによりスクリーンを折り畳み状態に移動させるスクリーン開放機構と、
を備えたことを特徴とする。
【００２５】
（装置本体とスクリーン扉の分割構造）
本発明は、
前面に開口した箱形の装置本体と、
ノズル付きのホースと、
ノズル付きのホースを装置本体の開口から取出し自在に装置本体に収納するホース収納部と、
装置本体の開口に設けられ、装置本体の開口を閉鎖するスクリーン扉と、
を備えた消火栓装置であって、
スクリーン扉は、
装置本体の開口の一部となる扉開口と、
下側を固定して上方に展開して保持することによりスクリーン扉の扉開口を閉鎖し、上端の保持を解除することにより下部に折り畳んでスクリーン扉の扉開口を開放するスクリーンと、
を設け、
装置本体とスクリーン扉を分割し、装置本体の開口にスクリーン扉を取外し自在に構成したことを特徴とする。
（スクリーン扉の下部内側の折畳み）
スクリーン扉は、スクリーンの両側をスクリーン扉の扉開口を形成する開口枠の内側に位置させた状態でスクリーンを上方に展開して保持することにより装置本体の開口を覆って閉鎖し、スクリーン上端の保持を解除することによりスクリーンを扉開口の下部内側に折り畳んで開口を開放する。
【００２６】
（スクリーン扉の構造）
スクリーン扉は、
装置本体の開口に取付け固定する扉枠と、
スクリーンの裏面の上下両端及びその間に所定間隔で配置した複数本のガイドバー部材と、
スクリーンの裏面に配置したガイドバー部材の間に配置した複数本のウェイトバー部材と、
扉枠の左右両側の開口枠の内側に配置され、スクリーンの左右両側を開口枠の内側に位置させた状態で、ガイドバー部材の左右両端をガイド溝に摺接して上下方向に案内移動させる第１ガイドレールと、
第１ガイドレールの内側に配置され、ウェイトバーの両端を摺接して奥行方向への動きを規制すると共に上下方向に案内移動させる第２ガイドレールと、
スクリーンの上端のガイドバー部材を保持することでスクリーンを展開した閉鎖状態に保持し、所定の操作により上端のガイドバー部材の保持を解除してスクリーンを折り畳んで開放状態とするスクリーン開閉機構と、
を備える。
【００２７】
（スクリーン開閉機構）
スクリーン開閉機構は、スクリーンの上端のガイドバー部材に上向きにバックル金具（尾錠金具）を設ける共に扉枠の上部の開口枠にバックル装置（尾錠装置）を設け、バックル金具をバックル装置に挿入して保持することでスクリーンを展開した閉鎖状態に保持し、バックル装置の所定の操作によりバックル金具の保持を解除してスクリーンを折り畳んで開放状態とする。
【００２８】
（ガイドバーとウェイトバーの間隔）
スクリーンの裏面に配置したウェイトバー部材の上側に隣接して配置したガイドバー部材との間隔に対し、ウェイトバー部材の下側に隣接して配置したガイドバー部材との間隔を短くする。
【００２９】
（上下端のガイドバー）
スクリーンの裏面に配置した複数のガイドバー部材は矩形断面をもつ板状のバー部材であり、
複数のガイドバー部材の内の上下端に配置したガイドバー部材は両端に設けたローラを第１ガイドレールのガイド溝に収納して回転自在に支持し、
上下端の間に配置したガイドバー部材は両端を第１ガイドレールのガイド溝に回転しないように収納する。
【００３０】
（ウェイトバーのガイドレール終端）
第２ガイドレールは、スクリーンを展開して扉開口を閉鎖した状態で、下から１本目のウェイトバー部材と下から２本目のガイドバー部材との間となる所定位置をガイドレール終端とすると共に、ガイドレール終端から内側に湾曲して延在する湾曲ガイドレールを一体に形成し、
スクリーンを展開した状態で前記ガイドレール終端を外れた下側に位置するウェイトバー部材の両端の奥行方向への動きを規制する張出片を扉枠の内側両端に設ける。
【００３１】
（ホース収納部）
ホース収納部は、円環状に内巻するホースの左右両端側及び又は上下両端側を外側から保持するホースフレームを備え、内巻したホースの下側に、折り畳まれたスクリーンを収納可能な空き空間を形成するようにホースフレームを装置本体の背面内壁に固定する。
【００３２】
（ホースフレームの形状）
ホースフレームは、開口側に矩形に張出して平行配置した一対の矩形フレーム部と、一対の矩形フレーム部の背面側の端部を矩形フレーム部に直交する方向で連結する一対のフレーム固定部とを備え、矩形フレーム部及び記フレーム固定部を連続する一部材として形成する。
【００３３】
（ホースフレームの配置方向）
ホースフレームは、一対の矩形フレーム部が左右に並んだ縦方向又は上下に並んだ横方向に位置するように、一対のフレーム固定部を装置本体の背面内壁に固定する。
【００３４】
（スクリーンの材質）
スクリーンを不燃性、難燃性又は耐火性とする。
【発明の効果】
【００３５】
（基本的な効果）
本発明は、消火栓装置に於いて、前面に開口した箱形の装置本体と、展開した状態で開口を覆って閉鎖し、折り畳まれた状態で開口を開放するスクリーンと、スクリーンの開閉方向の両端及びその間に所定間隔で配置した複数本のガイドバー部材と、開口を形成する開口枠の相対する枠面の内側に配置し、スクリーンの開閉方向と直行する方向の両サイドを開口枠の内側に位置させた状態で、ガイドバー部材の両端を案内移動させるガイド構造と、スクリーンの一端に配置したガイドバー部材を一方の開口端部に着脱自在に支持すると共にスクリーンの他端に配置したガイドバー部材を他方の開口端部に固定してスクリーンを展開状態とし、スクリーンの一端の支持を解除することによりスクリーンを折り畳み状態に移動させるスクリーン開放機構とを備えるようにしたため、展開して開口を閉鎖しているスクリーンの一端の保持を解除してガイドバー部材を開放方向へ移動すると、スクリーンの両端側は開口枠の内側に位置していることから、ガイドバー部材はその間のスンリーン部分を内側に湾曲しながら移動するようになり、これによりスクリーンを開口内側の装置本体内に折り畳んだ状態でスクリーンを開放し、スクリーン折畳み部分が全く外側に飛び出さないことから、スクリーンを開放した状態で行うホース引出し等の消火操作を、スクリーンの折畳み部分により妨げられることがなく容易に行うことを可能とする。
【００３６】
（上下左右方向の移動による折畳みによる効果）
また、スクリーンを展開状態から下方向、上方向、右方向又は左方向に移動して折り畳み状態とすることで、必要に応じてスクリーンの様々な方向での開閉を可能とする。
【００３７】
（上下方向の移動による折畳みとウェイトバーの効果）
また、スクリーンを展開状態から下方向又は上方向に移動して折り畳み状態とする場合、スクリーンの裏面に配置した複数のガイドバー部材の間にウェイトバー部材を配置するようにしたため、ガイドバー部材の直線移動に伴うその間のスクリーン部分の内側への湾曲が、ガイドバー部材の間に設けたウェイトバーの重みで付勢され、ガイドバー部材の直線移動に対し、その間のスクリーン部分の畳み込みを円滑に行うことを可能とする。
【００３８】
（ウェイトバー部材をガイド部で案内しない構造による効果）
また、ウェイトバー部材の両端をガイド部から外れたフリー状態に位置させるようにしたため、スクリーンを展開状態から下方向又は上方向に移動して折り畳み状態とする場合、ウェイトバー部材はガイド部による案内を受けることなくスクリーンと一体になって移動し、開口下端または開口下端に移動した場合のスクリーンの畳み込みを滑らかに可能とする。
【００３９】
（ウェイトバー部材のストッパー部による効果）
また、ウェイトバー部材の両端に、ガイドバー部材より前面への移動を規制するストッパー部を設けるようにしたため、スクリーンを展開状態から下方向又は上方向に移動して折り畳み状態とする場合、ウェイトバー部材の前面方向への動きがストッパー部により規制され、スクリーンが前方に湾曲して飛び出すことがなく、開口下端又は開口上端に滑らかに畳み込むことを可能とする。
【００４０】
（ウェイトバー部材のマグネット吸着による効果）
また、開口枠の裏面に相対したスクリーンの裏面にマグネット部材を配置するか、或いは、ウェイトバー部材の両端に、開口枠の裏面にスクリーンを介してウェイトバー部材の両端を吸着させるマグネット部材を設けるようにしたため、スクリーンの展開状態で張り与え、スクリーンに皺ができにくいようにする。
【００４１】
（ガイドバーとウェイトバーの間隔による効果）
また、スクリーンに配置したウェイトバー部材の閉方向側に隣接して配置したガイドバーとの間隔（Ｌ１）に対し、ウェイトバー部材の開方向側に隣接して配置したガイドバーとの間隔（Ｌ２）を短くするようにしたため、ウェイトバー部材がガイドバー部材の中央ではなく、若干下側にオフセットした位置に配置され、ガイドバー部材の直線移動に伴いその間のスクリーン部分が内側への湾曲を始めると、ウェイトバー部材は中央より若干下側に配置していることで、その重みによりスクリーンの湾曲を更に強く付勢し、スクリーンの畳み込みを更に円滑に行うことを可能とする。
【００４２】
（ガイドバー部材の抜止めガイド構造による効果）
また、ガイドバー部材の両端をガイド部に沿って案内移動しながら抜け止めする抜け止め構造としたため、スクリーンを展開状態から下方向又は上方向に移動して折り畳み状態とする場合、ガイドバー部材が斜めにならずに水平状態を保ったまま移動し、また、ガイドバー部材の移動中に斜めになってもガイド部から抜け出してしまうことを確実に防止可能とする。
【００４３】
（スクリーン下方向の移動による上端ガイドバーの効果）
また、スクリーンを展開状態から下方向に移動して折り畳み状態とする場合、スクリーンの裏面に配置した上端のガイドバーを、円柱、円筒、又は半円を含む上淵を彎曲面とした部材したため、スクリーンを開放した状態でホースを引き出す場合に、下方に開放して折り畳み状態となってスクリーンの上端にホースが接触しても抵抗にならず、ホース引出し力を低減すると共に摩擦によるホースの損耗も抑制可能とする。
【００４４】
（スクリーン突き離し機構による効果）
また、スクリーン開放機構によりスクリーンの端部に配置したガイドバー部材を支持した状態で開方向に付勢し、ガイドバーの支持を解除した場合に開方向に突き離して移動させるスクリーン突き離し機構を設けるようにしたため、例えばスクリーン上端のガイドバーの支持を解除して自然落下により降下させた場合、ガイドバーが水平状態を保ったまま落下せずに斜めに傾きながら落下して途中に引っかかって止まってしまう恐れがあるが、スクリーン上端のガイドバーを、左右対称となるバランスのとれた位置で突き離すため、ガイドバーは水平状態を保ったまま下降し、途中て傾いて止まってしまうようなことを確実に防止可能とする。
【００４５】
また、スクリーンを駆動機構により上方向若しくは右又は左方向に開放させる場合にも、スクリーン端部のガイドバー部材を対称となるバランスのとれた位置で上方向若しくは右又は左方向に突き離すため、上方向に開放する場合にガイドバー部材は水平状態を保ったまま上昇し、またガイドバー部材を右又は左方向に開放する場合は垂直状態を保ったまま横方向に移動し、途中て傾いて止まってしまうようなことを確実に防止可能とする。
【００４６】
また、長期間に亘り設置している間に埃が堆積して固まる等してガイドバーが動かなかったり、動きが悪くなっていても、強制的に開方向に突き離すため、長期間に亘りスクリーンを閉鎖状態に保持していても、確実に開放可能とする。
【００４７】
（スクリーンを上方向及び左右方向へ移動する駆動機構の効果）
また、スクリーンを下方向に移動して開放させる場合には、ガイドバー部材及びウェイトバー部材を含むスクリーンの自重による自然落下開放できるが、スクリーンを展開状態から上方向又は左右方向に移動して折り畳み状態とする場合に、スクリーン開放機構にスクリーンを折り畳み状態に移動させる駆動機構を設けることで、スクリーンの自重によることなく、スクリーンの開口を可能とする。
【００４８】
（装置本体とスクリーン扉の分割構造による効果）
本発明は、消火栓装置に於いて、前面に開口した箱形の装置本体と、ノズル付きのホースと、ノズル付きのホースを装置本体の開口から取出し自在に装置本体に収納するホース収納部と、装置本体の開口に設けられ、下側を固定したスクリーンを上方に展開して保持することにより開口を閉鎖し、スクリーン上端の保持を解除することによりスクリーンを下部に折り畳んで開口を開放する開閉自在なスクリーン扉とを設け、装置本体とスクリーン扉を分割し、装置本体の開口にスクリーン扉を取外し自在に設けるようにしたため、組立製造段階で装置本体とスクリーン扉を個別に製造し、最終的に、装置本体の開口にスクリーン扉を組付け固定することで、消火栓装置を完成させることができ、製造組立が容易で生産性が高く、製造コストも低減可能とする。
【００４９】
また、設置後にスクリーンが汚れたり損傷した場合には、汚れたり損傷したスクリーン扉を装置本体から外し、別途準備したスクリーン扉に交換することで、簡単且つ容易に修復可能とする。
【００５０】
（スクリーン扉の下部内側の折畳みによる効果）
スクリーン扉は、両側を開口枠の内側に位置させた状態でスクリーンを上方に展開して保持することにより装置本体の開口を覆って閉鎖し、スクリーン上端の保持を解除することによりスクリーンを下部内側に折り畳んで開口を開放するようにしたため、スクリーンの保持を解除して扉を開放した場合、スクリーンは下側に落下して内側に折り畳まれた状態となり、消火栓装置の外側に従来の横開きの消火栓扉のように飛び出すことがなく、消火活動や避難を妨げることがない。
【００５１】
（スクリーン扉の構造による効果）
また、分割構造のスクリーン扉は、装置本体の開口に取付け固定する扉枠と、スクリーンの裏面の上下両端及びその間に所定間隔で配置した複数本のガイドバー部材と、スクリーンの裏面に配置したガイドバー部材の間に配置した複数本のウェイトバー部材と、扉枠の左右両側の開口枠の内側に配置され、スクリーンの左右両側を開口枠の内側に位置させた状態で、ガイドバー部材の左右両端をガイド溝に摺接して上下方向に案内移動させる第１ガイドレールと、第１ガイドレールの内側に配置され、ウェイトバーの両端を摺接して奥行方向への動きを規制すると共に上下方向に案内移動させる第２ガイドレールと、スクリーンの上端のガイドバー部材を保持することでスクリーンを展開した閉鎖状態に保持し、所定の操作により上端のガイドバー部材の保持を解除してスクリーンを折り畳んで開放状態とするスクリーン開閉機構とを備えるようにしたため、スクリーンの展開状態でスクリーン上端のガイドバー部材の保持を解除して第１ガイドレールに沿ってガイドバー部材を落下させると、スクリーンの両端側は開口枠の内側に位置していることから、ガイドバー部材はその間のスクリーン部分を内側に湾曲しながら落下するようになり、これによりスクリーンを開口下部の内側に折り畳んで開放した状態とし、スクリーン折畳み部分が全く外側に飛び出さないことから、ホース引出し等の消火操作がスクリーンの折畳み部分により妨げられることがなく、容易に行うことを可能とする。
【００５２】
また、スクリーンの保持を解除し、ガイドバー部材を第１ガイドレールに沿って落下させる場合、ガイドバー部材の落下に伴うその間のスクリーン部分の内側への湾曲を、ガイドバー部材の間に設けたウェイトバーの重みで付勢し、ガイドバー部材の落下に伴い、その間のスクリーン部分の内側への畳み込みを円滑に行うことを可能とする。
【００５３】
また、スクリーンの裏面に配置した複数のガイドバー部材の間にウェイトバー部材を配置し、ウェイトバー部材の両端の奥行方向の動きを規制するように第２ガイドレールに当てることで、展開状態に開いたスクリーンにウェイトバー部材の重みにより張り（テンション）を与え、また、ウェイトバーの奥行方向への動きを規制することで、展開状態にあるスクリーンの平坦性を高め、従来の横開きする金属製の消火栓扉と同等の質感を出すことを可能とする。
【００５４】
（スクリーン開閉機構の効果）
また、分割構造のスクリーン扉に設けたスクリーン開閉機構は、スクリーンの上端のガイドバー部材に上向きにバックル金具（尾錠金具）を設ける共に扉枠の上部の開口枠にバックル装置（尾錠装置）を設け、バックル金具をバックル装置に挿入して保持することでスクリーンを展開した閉鎖状態に保持し、バックル装置の所定の操作によりバックル金具の保持を解除してスクリーンを折り畳んで開放状態とするようにしたため、バックル装置の例えば操作レバーを手前に引く操作により、バックル金具の保持を解除して展開したスクリーンを落下させて簡単且つ確実にスクリーンを開放して消火活動を行うことを可能とする。
【００５５】
（ガイドバーとウェイトバーの間隔による効果）
また、分割構造のスクリーン扉において、スクリーンの裏面に配置したウェイトバー部材とその上側に隣接して配置したガイドバーとの間隔（Ｌ１）に対し、ウェイトバー部材とその下側に隣接して配置したガイドバーとの間隔（Ｌ２）を短くするようにしたため（Ｌ１＞Ｌ２）、ウェイトバー部材がガイドバー部材の中央ではなく、若干下側にオフセットした位置に配置され、ガイドバー部材の落下に伴いその間のスクリーン部分が内側への湾曲を始めると、ウェイトバー部材は中央より若干下側に配置していることで、その重みによりスクリーンの湾曲を更に強く付勢し、スクリーンの畳み込みを更に円滑に行うことを可能とする。
【００５６】
（上下端のガイドバーによる効果）
また、分割構造のスクリーン扉において、スクリーンの裏面に配置した複数のガイドバー部材は矩形断面をもつ板状のバー部材であり、複数のガイドバー部材の内の上下端に配置したガイドバー部材は両端に設けたローラを第１ガイドレールのガイド溝に収納して回転自在に支持し、上下端の間に配置したガイドバー部材は両端を第１ガイドレールのガイド溝に回転しないように収納するようにしたため、下端のガイドバーはスクリーンの落下に伴い内側に回転し、スクリーンを扉内側に確実に折り畳み可能とする。
【００５７】
また、上端のガイドバー部材にはスクリーン開閉に使用するバックル金具を設けているが、スクリーンの保持解除により落下して開口下部の内側に折り畳み状態となった場合、上端のガイドバー部材は外側に回転してバックル金具を横向きに倒し、バックル金具が上向きに飛び出してホース引出しの邪魔になることを未然に防止可能とする。
【００５８】
（ウェイトバーのガイドレール終端による効果）
また、第２ガイドレールは、スクリーンを展開して扉開口を閉鎖した状態で、下から１本目のウェイトバー部材と下から２本目のガイドバー部材との間となる所定位置をガイドレール終端とすると共に、ガイドレール終端から内側に湾曲して延在する湾曲ガイドレールを一体に形成し、スクリーンを展開した状態でガイドレール終端を外れた下側に位置するウェイトバー部材の両端の奥行方向への動きを規制する張出片を記扉枠の内側両端に設けるようにしたため、ウェイトバーの上下方向の動きを案内する第２ガイドバーの下側が途中で終端していることで、落下したスクリーンの内側への畳み込みを滑らかに行うことを可能とする。
【００５９】
また、スクリーンをフラットに展開した状態で、ガイドレール終端を外れた下側に位置するウェイトバー部材はフリー状態となるが、フリー状態にあるウェイトバー部材の動きを扉枠の内側両端に設けた張出片に当接することで、展開状態にあるスクリーンの平坦性を高めることを可能とする。
【００６０】
また、扉開口の下部内側に折り畳み状態にあるスクリーンを引き上げてフラットな閉鎖状態に展開する場合、扉開口の下部内側に折り畳まれているスクリーンに設けたウェイトバー部材の両側を、第２ガイドレール終端から内側に延在した湾曲ガイドレールに沿って第２ガイドレールに案内移動し、畳み込み状態となっているスクリーンを円滑にフラットに展開して扉開口を閉鎖可能とする。
【００６１】
（ホース収納部の効果）
また、ホース収納部は、円環状に内巻するホースの左右両端側及び又は上下両端側を外側から保持するホースフレームを備え、内巻したホースの下側に空き空間を形成するようにホースフレームを装置本体の背面内壁に固定するようにしたため、ホースフレームに内巻きして収納したホースに妨げられることなく、スクリーンを開口下部の内側に折り畳んで開放した状態とすることを可能とする。
【００６２】
（ホースフレームの形状による効果）
また、ホースフレームは、開口側に矩形に張出して平行配置した一対の矩形フレーム部と、一対の矩形フレーム部の背面側の端部を矩形フレーム部に直交する方向で連結する一対のフレーム固定部とを備え、矩形フレーム部及び記フレーム固定部を連続する一部材として形成するようにしたため、ホースフレームの形状が単純化されることで、パイプフレーム等を曲げ加工して両端を溶接等で連結することで、ホースフレームの製造を容易にしてコストを低減し、また、装置本体に対する取付固定も簡単且つ容易にできる。
【００６３】
（ホースフレームの配置方向による効果）
また、ホースフレームは、一対の矩形フレーム部が左右に並んだ縦方向又は上下に並んだ横方向に位置するように、一対のフレーム固定部を装置本体の背面内壁に固定するようにしたため、一対の矩形フレーム部が左右に並んだ縦方向に位置するように固定した場合は、矩形フレームの間となる上下方向の空間を有効に利用してホースの引き出しや巻き戻しを容易に行うことを可能とし、また、一対の矩形フレーム部が上下に並んだ横方向に位置するように固定した場合は、矩形フレームの間となる左右方向の空間を有効に利用してホースの引き出しや巻き戻しを容易に行うことを可能とする。
【図面の簡単な説明】
【００６４】
【図１】スクリーンを下側に開放する消火栓装置の実施形態を示した説明図
【図２】図１の消火栓装置の内部構造を示した説明図
【図３】スクリーンのガイド構造を内側から一部を切り出して示した説明図
【図４】スクリーンのガイド構造を外側から一部を切り出して示した説明図
【図５】スクリーンを取り出して示した説明図
【図６】スクリーンの正面、側面、背面を示した説明図
【図７】ハンドル操作によるスクリーン開放機構を示した説明図
【図８】スクリーンの閉鎖状態と開放状態を側面から見た断面で示した説明図
【図９】開放操作によりスクリーンが下降して開放するまでの動きを取り出して模式的に示した説明図
【図１０】ウェイトバーにストッパー部を設けたスクリーンのガイド構造を内側から一部を切り出して示した説明図
【図１１】ウェイトバーにマグネット部材を設けたスクリーンのガイド構造を内側から一部を切り出して示した説明図
【図１２】抜け止め構造を備えたスクリーンのガイド構造を外側から一部を切り出して示した説明図
【図１３】スクリーンを突き離し開放する消火栓装置の実施形態を示した説明図
【図１４】装置本体とスクリーン扉の分割構造を備えた消火栓装置を示した説明図
【図１５】スクリーン扉を取り出して裏面側から示した説明図
【図１６】スクリーン扉をスクリーン開放状態として裏側から示した斜視図
【図１７】スクリーンを取り出して裏面側から示した説明図
【図１８】スクリーン上部のガイド構造を部分的に取り出して示した説明図
【図１９】スクリーン下部のガイド構造を部分的に取り出して示した説明図
【図２０】開放操作によりスクリーンが下降して開放するまでの動きを取り出して模式的に示した説明図
【図２１】ホースを収納した装置本体を示した説明図
【図２２】装置本体に設けたホース収納部を模式的に示した説明図
【図２３】スクリーンを上側に開放する消火栓装置の実施形態を示した説明図
【図２４】消火栓装置の遠隔操作によるスクリーン開放機構を示した説明図
【図２５】開放操作によりスクリーンが上昇して開放する動きを示した説明図
【図２６】スクリーンを右側に開放する消火栓装置の実施形態を示した説明図
【図２７】従来の消火栓装置を示した説明図
【発明を実施するための形態】
【００６５】
［スクリーンを下側に開放する消火栓装置］
（消火栓装置の概要）
図１はスクリーンを下側に開放する消火栓装置の実施形態を示した説明図であり、図１（Ａ）は閉鎖状態を示し、図１（Ｂ）は開放状態を示す。
【００６６】
図１（Ａ）に示すように、消火栓装置１０の装置本体１２は前面に矩形の開口枠１４により形成した開口１６をもつ箱形の構造であり、開口１６の上部に通報パネル１８を設け、通報パネル１８には、発信機２０、赤色表示灯２２、音響警報器として例えばスピーカを背後に内蔵した音響孔２４を設けている。
【００６７】
装置本体１２の開口１６の内側にはスクリーン２６を展開した状態で配置し、開口１６を閉鎖している。スクリーン２６はその裏面の上端、下端、及びその間に所定間隔で例えば４本のガイドバー部材として機能するガイドバー３２を配置している。また、スクリーン２６の裏面に配置したガイドバー３２の間には、それぞれウェイトバー部材として機能するウェイトバー３４を配置している。
【００６８】
装置本体１２の前面に設けた左右に位置する開口枠１４の内側には上下方向にガイド部３６を形成しており、ガイド部３６の中にスクリーン２６の裏面に配置したガイドバー３２の両端を摺動自在に嵌め入れている。
【００６９】
スクリーン２６の下端に配置したガイドバー３２は開口１６の下端に固定しており、スクリーン２６の上端に配置したガイドバー３２はハンドル２８を備えたスクリーン開放機構３０により着脱自在に支持し、これによりスクリーン２６を開口１６の内側で上下方向に展開して閉鎖状態としている。また、スクリーン２６の上端に配置したガイドバー３２には、下側に折り畳み状態に開放したスクリーン２６を引き上げて閉鎖状態とする場合に使用する取っ手３５を両側の２か所に設けている。
【００７０】
スクリーン２６の裏面に配置したウェイトバー３４はその両端がガイド部３６に入らないようにガイドバー３２より短くしており、その重さをスクリーン２６に加えている。
【００７１】
またスクリーン２６の両端は左右に位置する開口枠１４の内側に位置しており、これによりスクリーン２６を下側に移動して開放する場合、ガイドバー３２の間のスクリーン部分が開口１６からの外側への飛び出しことを防止し、このためガイドバー３２の間に位置するスクリーン２６の部分を、必ず開口１６の下部内側に折り畳むように開放することを可能としている。
【００７２】
図１（Ａ）のスクリーン２６を展開状態に支持した開口１６の閉鎖状態で、スクリーン開放機構３０のハンドル２８を時計回りに回動操作してスクリーン２６の上端に配置したガイドバー３２の支持を解除すると、スクリーン２６は下降し、図１（Ｂ）に示すように、下降したスクリーン２６は開口１６の下部内側に折り畳まれた状態に移動し、装置本体１２の前面を開放する。
【００７３】
ここで、スクリーン２６の上端に配置したガイドバー３２は、上端を彎曲面とするため例えば円柱上の棒部材（丸棒）を使用しており、図１（Ｂ）のようにスクリーン２６を開放した状態でホースを引き出す場合に、下方に開放して折り畳み状態となってスクリーン２６の上端のガイドバー３２にホースが接触した場合の抵抗を低減し、ホース引出し力を低減すると共に摩擦によるホースの損耗も抑制可能としている。なお、スクリーン上端に配置するガイドバー３２は、円柱以外に、円筒形のパイプ部材、半円形の棒部材等であっても良い。
【００７４】
（スクリーンのガイド構造）
図２は図１の消火栓装置の内部構造を示した説明図であり、図２（Ａ）は正面から見た内部構造、図２（Ｂ）は平面から見た内部構造を示す。また、図３はスクリーンのガイド構造を内側から一部を切り出して示した説明図、図４はスクリーンのガイド構造を外側から一部を切り出して示した説明図である。
【００７５】
図２に示すように、箱形の装置本体１２の開口を形成する左右の開口枠１４の裏側には、相互に向かい合うように開口するガイド部３６を備えたガイド枠３８を上下方向に配置し、ガイド部３６の中にスクリーン２６の裏面に配置したガイドバー３２の両端を上下方向に摺動自在に嵌め入れている。
【００７６】
図３及び図４に一部を拡大して示すように、装置本体１２の正面側に位置して開口１６を仕切る開口枠１４の内側のコーナー部には、横向きに開いたガイド部３６を形成したガイド枠３８を固定しており、ガイド枠３８のガイド部３６の中に、スクリーン２６の背後に配置したガイドバー３２の端部を摺動自在に嵌め入れている。
【００７７】
ここで、ガイドバー３２により上下方向に展開して支持するスクリーン２６の両側端は、ガイド部３６の開口側となる開口枠１４の裏面に位置しており、ガイドバー３２が上下方向に移動しても、スクリーン２６の両側端は開口枠１４の裏面側に位置し、開口１６から外側に飛び出すことはない。この結果、上端に配置したガイドバー３２の支持を解除してスクリーン２６を開く場合、ガイドバー３２の下降移動に伴うその間のスクリーン部分は必ず内側に屈曲することになる。
【００７８】
また、ガイドバー３２の間に配置したウェイトバー３４の両端をガイド部３６から外れたフリー状態に位置させており、スクリーンを展開状態から下方向に移動して折り畳み状態とする場合、ウェイトバー３４はガイド部３６による案内を受けることなくスクリーン２６と一体になって移動し、開口下端に移動した場合のスクリーン２６の畳み込みを滑らかに可能とする。
【００７９】
（スクリーンの構造）
図５はスクリーンを取り出して示した説明図、図６はスクリーンの正面、側面、背面を示した説明図、図７はハンドル操作によるスクリーン開放機構を示した説明図である。
【００８０】
図５に示すように、スクリーン２６は不燃性又は難燃性のシートを使用しており、シートの表面の色は、装置本体１２と同じ所定の指定色とし、また、表側に「消火栓」の文字を印刷している。
【００８１】
スクリーン２６の裏面の上端、下端、及びその間には等間隔でガイドバー３２を接着固定等により配置し、またガイドバー３２の間にウェイトバー３４を同じく接着固定等により配置している。
【００８２】
ガイドバー３２及びウェイトバー３４は、骨組みとして、また重しとして、スクリーン２６を展開状態で張るようになり、スクリーン２６に皺ができにくいようにしている。
【００８３】
４本のガイドバー３２の内、スクリーン上端に配置したガイドバー３２は例えば円柱状の棒部材であり、それ以外のガイドバー３２は、上下に扁平な板状の棒状部材であり、また、ウェイトバー３４も同様に上下に扁平な板状の棒状部材としている。また、ガイドバー３２及びウェイトバー３４はその自重によりスクリーン２６を展開状態に保持し、また開放操作に伴い自然落下してスクリーン２６を開くことから、十分な重さを確保可能な金属部材とする。
【００８４】
また、ガイドバー３２の両端はガイド部の中を摺動することから、先端に丸みをつけて滑らかに移動可能とする。なお、ガイドバー３２及びウェイトバー３４は丸棒としても良いし、またガイド部に嵌め入れる両端にローラを装着しても良い。
【００８５】
ここで図６に示すように、スクリーン２６の裏面に配置したガイドバー３２はその中心間の間隔をＬとして等間隔又は不等間隔に配置し、その間にウェイトバー３４を配置している。ウェイトバー３４の配置間隔は、閉方向側（上側）に隣接するガイドバー３２との中心間の間隔をＬ１、開方向側（下側）に隣接するガイドバー３２との中心間の間隔Ｌ２とすると、
Ｌ１＞Ｌ２
となるように配置している。なお、以下の説明では、「中心間の間隔」を単に「間隔」という。
【００８６】
即ち、ウェイトバー３４は、ガイドバー３２の配置間隔Ｌの半分のＬ／２となる中央ではなく、中央から若干下側へオフセットした位置に配置している。
【００８７】
このようにウェイトバー３４をガイドバー３２の間の中央から下側にオフセットして配置することで、スクリーン２６を下側に移動して開放する場合に、ガイドバー３２の間のスクリーン部分の内側への湾曲をウェイトバー３４の重さで付勢し、下降中にガイドバー３２の間のスクリーン部分に歪んで折れるような変形を起こし、ガイドバー３２が斜めに傾いて動きが悪くなるようなことを抑制する。
【００８８】
スクリーン開放機構３０は、図７に示すように、スクリーン２６の上端に配置したガイドバー３２の略中央にはフック金具４０を設け、スクリーン開放機構３０のフック爪４２を、フック金具４０のフック穴４０ａに押圧挿通し、これによりスクリーン２６を展開状態に支持して開口を閉鎖している。
【００８９】
スクリーン２６を開放する場合には、ハンドル２８を、例えば時計回りに回動操作すると、フック金具４０からフック爪４２を抜いてガイドバー３２によるスクリーン２６の支持を解除し、ガイドバー３２の下降によりスクリーン２６を下側に折り畳んで装置本体１２の前面を開放する。
【００９０】
また、スクリーン開放機構３０としては、磁石による固定方式としても良い。この場合には、ハンドル操作に連動して磁石部をスクリーン上端のガイドバー３２から切り離す構造とすれば良い。
【００９１】
（開放操作に伴うスクリーンの動き）
図８はスクリーンの閉鎖状態と開放状態を側面から見た断面で示した説明図であり、図８（Ａ）は閉鎖状態を示し、図８（Ｂ）は開放状態を示している。
【００９２】
図８（Ａ）に示す閉鎖状態でハンドル２８を操作してスクリーン２６の上端に配置したガイドバー３２の支持を解除すると、全てのガイドバー３２はガイド部３６に沿って自重により一斉に下降を始め、スクリーン２６は図８（Ｂ）に示す装置本体１２の内部下側に折り畳まれた状態となって装置本体１２の前面を開放する。
【００９３】
この消火栓装置１０の開放状態で、スクリーン２６は外側に飛び出すことなく内部下側に折り畳まれた状態で位置するため、消火栓装置１０からホースを引き出して行う消火作業の妨げとはならず、また、スクリーン２６の折畳み部分は外にでていないため、消火作業により踏まれて汚れたり損傷したりすることもない。
【００９４】
また、消火栓装置１０による消火作業を終了し、水抜きしたホースを収納した場合には、折り畳み状態となって開放しているスクリーン２６の上端のガイドバー３２に設けている取っ手３５を両手で持って上に引き上げ、スクリーン開放機構３０にフック金具４０を嵌め入れて展開状態に保持することで閉鎖する。
【００９５】
図９は開放操作によりスクリーンが下降してから開放するまでの動きを取り出して模式的に示した説明図である。
【００９６】
図９（Ａ）はスクリーン２６を展開した閉鎖状態であり、上端のガイドバー３２を、スクリーン２６を展開する位置に支持している。この状態で上端のガイドバー３２の支持を解除すると、図９（Ｂ）に示すように、固定している下端のガイドバー３２を除く残りのガイドバー３２がガイド部に沿って一斉に下降を始め、これに伴いウェイトバー３４も一斉に下降を始め、スクリーン２６が全体として下降を始める。
【００９７】
このとき下端のガイドバー３２は動かないことから、その上に隣接するガイドバー３２の下降に伴って、ガイドバー３２の間のスクリーン２６の部分は内側に湾曲を始め、湾曲部分２６ａが形成される。このガイドバー３２の間となるスクリーン２６の湾曲部分２６ａにはウェイトバー３４を配置しているため、ウェイトバー３４の重みによりスクリーン２６の湾曲部分２６ａを押し下げる力が加わり、スクリーン２６全体としての下降を勢い付ける。
【００９８】
続いて図９（Ｃ）のように、下から２番目のガイドバー３２が下端のガイドバー３２に当って停止すると、その上のガイドバー３２の下降に伴ってスンリーン２６に２番目の湾曲部分２６ａが形成される。以下同様にして、図９（Ｄ）に示すように、３番目の湾曲部分２６ａが形成され、最終的に図９（Ｅ）に示すように、３つの湾曲部分２６ａが重なってスクリーン２６を折り畳み状態とし、装置本体の前面を開口する。
【００９９】
（ウェイトバーのストッパー構造）
図１０はウェイトバーにストッパー部を設けたスクリーンのガイド構造を内側から一部を切り出して示した説明図
から一部を切り出して示した説明図である。
【０１００】
図１０に示すように、ガイドバー３２の間に配置するウェイトバー３４の両端に、内側にＬ形に屈曲して形成したストッパー部３４ａを設けている。ストッパー部３４ａはガイド部３６を備えたガイド枠３８の内側に当接してウェイトバー３４の前方への動きを規制している。これ以外の構造は図３の実施形態と同じである。
【０１０１】
このようにウェイトバー３４の両端にガイドバー３２より前面への移動を規制するストッパー部３４ａを設けたことで、スクリーン２６を展開状態から下方向に移動して折り畳み状態とする場合、ウェイトバー３４の前面方向への動きがストッパー部３４ａにより規制され、スクリーン２６が前方に湾曲して飛び出すことがなく、開口下端に滑らかに畳み込む動きを可能とする。
【０１０２】
（マグネット吸着構造）
図１１はウェイトバーにマグネット部材を設けたスクリーンのガイド構造を内側から一部を切り出して示した説明図である。
【０１０３】
図１１に示すように、ガイドバー３２の間に配置するウェイトバー３４の両端裏側にマグネット部材３５を配置し、スクリーン２６を展開した状態で、開口枠１４の裏面にスクリーン２６を介してウェイトバー３４の両端をマグネット部材３５の磁力で吸着させている。これ以外の構造は図３の実施形態と同じである。
【０１０４】
このようにウェイトバー３４の両端裏側にマグネット部材３５を配置したことで、スクリーン２６を展開した状態で、開口枠１４の裏面に間にスクリーン２６を挟んだ状態でウェイトバー３４の両端をマグネット部材３５の磁力で吸着保持することが可能となり、展開したスクリーン２６を開口枠１４の裏面に押し付けることで張り与え、スクリーン２６に皺ができにくいようにする。
【０１０５】
また上端のガイドバー３２の保持を解除してスクリーン２６を下降させる場合、マグネット部材３５を配置したウェイトバー３４と開口枠１４の間にはスクリーン２６が介在して直接に磁気吸着していないため、ガイドバー３２及びウェイトバー３４を配置したスクリーン２６の重さにより磁気吸着が解除されてスクリーン２６は下降し、開口下端に滑らかに畳み込まれる。
【０１０６】
また、マグネット吸着構造の他の実施形態として、図１１の様にウェイトバー３４の両端ではなく、開口枠１４の裏面に相対したスクリーン２６の両側の裏面に１又は複数のマグネット部材を配置し、スクリーン２６を間に挟んで開口枠１４の裏面に磁気吸着させるようにしても良い。
【０１０７】
また、図１１のマグネット部材２１に加え、開口枠１４の裏面に相対したスクリーン２６の両側の裏面に１又は複数のマグネット部材を配置するようにしても良い。
【０１０８】
（ガイドバーの抜止めガイド構造）
図１２は抜け止め構造を備えたスクリーンのガイド構造を外側から一部を切り出して示した説明図である。
【０１０９】
図１２に示すように、本実施形態のガイド部３６は開口側に抜け止め部３６ａを形成した溝形状をもつガイド枠３８を配置しており、これに対応してガイドバー３２の両端に平面から見てＴ形となる抜け止めガイド部３２ａを一体に形成し、抜け止めガイド部３２ａを抜け止め部３６ａを形成したガイド部３６に入れることで、ガイドバー３２の両端をガイド部に沿って案内移動しながら抜け止めする構造としている。これ以外の構造は図４の実施形態と同じである。
【０１１０】
このようにガイド部３６に対しガイドバー３２を抜け止め構造としたことで、スクリーン２６を展開状態から下方向に移動して折り畳み状態とする場合、ガイドバー３２が斜めにならずに水平状態を保ったまま移動し、また、ガイドバー３２が移動中に斜めになってガイド部３６から抜け出してしまうことを確実に防止可能とする。
【０１１１】
（スクリーン突き離し開放機構）
図１３はスクリーンを突き離して開放する消火栓装置の他の実施形態を示した説明図であり、図１３（Ａ）は閉鎖状態を示し、図１３（Ｂ）はスクリーンの保持を解除して開放した直後の状態を示す。
【０１１２】
図１３（Ａ）に示すように、本実施形態にあっては、スクリーン上端のガイドバー３２を、スクリーン開放機構３０により保持して閉鎖状態している点は、図１の実施形態と同じであるが、これに加え閉鎖状態に保持しているスクリーン上端のガイドバー４２に対し、ホルダ５９、バネ６１及び押し金６３を備えたスクリーン突き離し開放機構を設けたことを特徴とする。
【０１１３】
クスリーン突き離し開放機構は、スクリーン開放機構３０により保持しているスクリーン上端のガイドバー３２の上部に、下向きに開口した円筒状のホルダ５９を左右２か所の対象となる位置に配置し、ホルダ５９の中に先端に押し金６３を装着したバネ６１を収納し、ガイドバー３２を下側から押し上げてスクリーン開放機構３０のラッチ爪によりラッチする場合に、押し金６３を介してバネ６１を圧縮しながらホルダ５９内に押し込んで保持している。
【０１１４】
このため装置本体１２の前面をスクリーン２６の展開保持により閉鎖した状態で、スクリーン上端のガイドバー３２には、圧縮状態にあるバネ６１により開放方向となる下向きの力が加えられている。それ以外の構成は、図１乃至図９に示した実施形態と同じになる。
【０１１５】
図１３（Ｂ）は、ハンドル２８を時計回りに操作して、スクリーン上端のガイドバー３２の保持を解除した直後の状態であり、ガイドバー３２の保持が解除されると、圧縮状態にあるバネ６１が伸展し、押し金６３によりガイドバー３２を下方に突き離し、スクリーン２６を勢いよく降下させて開放する。
【０１１６】
このようなスクリーン２６の突き離し開放によれば、次の作用効果が得られる。
【０１１７】
まず、スクリーン上端のガイドバー３２の保持を解除して自然落下により降下させた場合、ガイドバー３２が水平状態を保ったまま落下せずに斜めに傾きながら落下する場合があり、ガイドバー３２はガイド部３６の途中に引っかかって止まってしまう問題がある。これに対し図１３に示すにスクリーン突き離し機構を設けたことで、スクリーン上端のガイドバー３２を、左右対称となるバランスのとれた位置でのバネ６１の伸展により突き離すため、ガイドバー３２は水平状態を保ったまま下降し、途中て傾いて止まってしまうようなことを防止可能とする。
【０１１８】
また、消火栓装置を設置した後に、長期間に亘りスクリーン２６を閉鎖状態に保持していると、ガイドバー３２の両端のガイド部３６に入っている部分に埃が堆積し、湿気を受けた後に乾燥したりすることで固まり、スクリーン開放のためにハンドル２８の操作によりスクリーン上端のガイドバー３２の保持を解除しても、自然落下による降下では、ガイドバー３２が動かなかったり、動きが悪く途中で止まったりする問題がある。これに対し図１０に示すようにスクリーン突き離し機構を設けたことで、ガイドバー３２の動きが悪くなっていても、バネ６１の力で強制的に下方に突き離すため、確実にスクリーン２６を落下させて開放でき、長期間に亘りスクリーン２６を閉鎖状態に保持していても、確実に開放可能とする。
【０１１９】
なお、スクリーン突き離し機構の構造は、図１３に限定されず、スクリーンの保持を解除した場合、スクリーン上端のガイドバー３２を、水平状態を保ったまま下方に突き離す構造であれば、適宜の構造で良い。
【０１２０】
［装置本体とスクリーン扉の分割構造を備えた消火栓装置］
（消火栓装置の概要）
図１４は装置本体とスクリーン扉の分割構造を備えた消火栓装置を示した説明図であり、図１４（Ａ）に正面を示し、図１４（Ｂ）に側面を示し、図１４（Ｃ）にスクリーン扉を開放した状態を示す。
【０１２１】
図１４に示すように、本実施形態の消火栓装置１０は、前面に開口した箱枠形の装置本体１２とスクリーン扉６０で構成しており、装置本体１２とスクリーン扉６０を分割し、装置本体１２の開口にスクリーン扉６０を取外し自在に設けている。また、スクリーン扉６０の上部には通報パネル１８を設けている。
【０１２２】
スクリーン扉６０は、スクリーン開閉機構として機能するバックル装置６６によりスクリーン２６を展開した状態に保持することにより扉開口６４を覆って閉鎖している。
【０１２３】
消火栓装置１０の上部（スクリーン扉６０の上部）に配置した通報パネル１８には、発信機２０、赤色表示灯２２、内蔵した警報用スピーカに対応した音響孔２４を設けている。
【０１２４】
火災時に消火栓装置１０を使用する場合には、スクリーン扉６０に設けているバックル装置６６の操作レバーを手前に引くと、バックル装置６６によるバックル金具のラッチが解除され、スクリーン２６は自重により扉開口６４の両側のガイドレールに沿って落下し、図１４（Ｃ）に示すように、落下したスクリーン２６は内側に折り畳まれた状態となって、扉開口６４を開放する。
【０１２５】
スクリーン２６を開放したスクリーン扉６０の扉開口６４の内部となる装置本体１２内には、ホース収納部を構成するホースフレーム７４により先端にノズル７２を連結したホース７０を内巻き状態で収納している。
【０１２６】
ホース７０の後端は消火栓弁７５の２次側に連結しており、ハンドルを操作することで消火栓弁７５の開放又は閉鎖を可能とする。また本実施形態のホース７０は一人操作を可能とする保形ホースを使用している。
【０１２７】
本実施形態のノズル７２はノズル先端の回動操作により開閉可能なノズルを使用しており、火災時には例えばスクリーン扉６０のスクリーン２６を開放し、消火栓弁７５を開操作し、この状態で閉鎖状態にあるノズル７２をもってホース７０を引き出し、火災発生場所に近づいたらノズル７２を開操作して放水することで消火作業を行う。
【０１２８】
ノズル７２からの放水による消火活動で火災が鎮火した場合には、消火栓弁７５を閉じて放水を停止し、その後、ホース７０を元に戻す復旧作業を行う。この復旧作業用は使用したホース７０を水抜きした後に、ホースフレーム７４の中にホース７０を内巻きして巻き戻す。
【０１２９】
（スクリーン扉）
図１５はスクリーン扉を取り出して示した説明図であり、図１５（Ａ）に裏面を示し、図１５（Ｂ）にＸ−Ｘ断面を示す。図１６はスクリーン扉をスクリーン開放状態として裏側から示した斜視図である。
【０１３０】
（スクリーン扉の概要）
図１５に示すスクリーン扉６０は、図１４に示した装置本体１２の前面の開口に着脱自在に配置するものであり、装置本体１２から独立して製造組立てを行うように分割構造としており、スクリーン扉６０が完成した後に装置本体１２の開口に取付けてねじ止め固定する。
【０１３１】
図１５（Ａ）に示すスクリーン扉６０は、スクリーン２６を上に引き上げてバックル装置６６に保持して展開することにより扉開口６４を覆って閉鎖している。スクリーン２６の裏面には、上端及び下端の各々にガイドバー３２を設けると共に、その間に等間隔で２本のガイドバー３２を配置している。ガイドバー３２は扉枠６２の裏側に配置したガイド部６８により上下方向に移動可能としている。
【０１３２】
４本のガイドバー３２の間となるスクリーン２６の裏面には、ウェイトバー３４を各々配置している。ウェイトバー３４も扉枠６２の裏側に配置したガイド部６８により上下方向に移動可能としている。
【０１３３】
図１５（Ｂ）及び図１６に示すように、扉枠６２の裏側に配置したガイド部６８には、第１ガイドレール８０と第２ガイドレール８２を設けている。手前に配置している第１ガイドレール８０は上下方向にガイド溝を設けた鞘状の部材であり、スクリーン２６の裏面に設けたガイドバー３２の両端をガイド溝に嵌め入れて上下方向に案内移動する。
【０１３４】
第１ガイドレール８０の奥にはガイド溝を形成する隙間を介して第２ガイドレール８２を配置している。第１ガイドレール８０と第２ガイドレール８２の間にはガイド溝として機能する隙間を上下方向に形成しており、この第２ガイドレール８２のガイド溝に、スクリーン２６の裏面に設けたウェイトバー３４の両端を内側に屈曲して形成したストッパ部を入れており、第２ガイドレール８２はウェイトバー３４を上下方向に案内移動すると共に、スクリーン２６を展開保持して扉開口６４を閉鎖した状態で、ウェイトバー３４の前方及び奥行方向への動きを規制するストッパとして機能し、展開したスクリーン２６をフラットに保ち、従来の金属製の消火栓扉に相当する質感を出せるようにしている。
【０１３５】
スクリーン扉６０のバックル装置６６を操作してスクリーン２６の展開保持を解除すると、スクリーン２６はガイドバー３２及びウェイトバー３４と共にガイド部６８に沿って落下し、図１６に示すように、落下したスクリーン２６は扉開口６４の下部内側に畳み込まれた状態となって扉開口６４を開く。
【０１３６】
扉開口６４の裏側のガイド部６８に設けたウェイトバー３４を案内移動する第２ガイドレール８２は、その下側を切欠することでガイドレール終端を形成しており、このガイドレール終端に続いて内側に湾曲した湾曲ガイドレール８４を形成している。
【０１３７】
また、湾曲ガイドレール８４の下側となる扉開口６４の両側には、斜め下向きに張出片７８を設けている。張出片７８は上下には動くが奥行方向には動くことがなく、展開したスクリーン２６の一番下のウェイトバー３４が第２ガイドレール８２のガイド溝からは外れた位置となってフリー状態に置かれることから、図１５（Ａ）に示すように、張出片７８に一番下のウェイトバー３４の両側のストッパ部３４ａを当てて内側への動きを規制し、スクリーン２６の下部をフラットに保つことを可能にしている。
【０１３８】
また、スクリーン２６の上端に突出して設けているバックル金具８６は、扉開口６４の下部内側にスクリーン２６をガイドバー３２及びウェイトバー３４と共に折り畳んだ状態で、後の説明で明らかにする下端のガイドバー３２の回転構造により外側に回転し、バックル金具８６をホース引出しの邪魔とならないように、横に倒すようにしている。
【０１３９】
（スクリーンの構造）
図１７はスクリーンを取り出して裏面側から示した説明図である。図１７に示すように、スクリーン２６は不燃性又は難燃性のシートを使用しており、シートの表面の色は、装置本体１２と同じ所定の指定色としている。
【０１４０】
スクリーン２６の裏面の上端、下端、及びその間には、等間隔Ｌでガイドバー３２を接着固定等により配置し、またガイドバー３２の間にウェイトバー３４を同じく接着固定等により配置している。
【０１４１】
ガイドバー３２及びウェイトバー３４は、骨組みとして、また、重しとして、スクリーン２６を展開状態でフラットに張る機能を果たし、スクリーン２６に皺ができにくいようにしている。
【０１４２】
ガイドバー３２は上下に扁平な板状の棒状部材であり、また、ウェイトバー３４も同様に上下に扁平な板状の棒状部材としている。また、ガイドバー３２及びウェイトバー３４はその自重によりスクリーン２６を展開状態に保持し、また開放操作に伴い自然落下してスクリーン２６を折り畳み状態として扉開口６４を開くことから、十分な重さを確保可能な金属部材とする。
【０１４３】
上端及び下端に配置したガイドバー３２は両端にローラ８８を軸支しており、ローラ８８は図１５及び図１６に示した第１ガイドレール８０のガイド溝に入って上端及び下端のガイドバー３２を回転自在に支持している。上下端の間に配置したガイドバー３２は両端にローラを設けずに、そのまま第１ガイドレール８０のガイド溝に入れており、先端に丸みをつけて滑らかに移動可能とする。
【０１４４】
ここで、図１７に示すように、スクリーン２６の裏面のガイドバー３２の間に配置したウェイトバー３４は、上側に隣接するガイドバー３２との中心間の間隔をＬ１、下側に隣接するガイドバー３２との中心間の間隔Ｌ２とすると、
Ｌ１＞Ｌ２
となるように配置している。
【０１４５】
即ち、ウェイトバー３４は、ガイドバー３２の配置間隔の半分となる中央ではなく、中央から若干下側へオフセットした位置に配置している。
【０１４６】
このようにウェイトバー３４をガイドバー３２の間の中央から下側にオフセットして配置することで、スクリーン２６を下側に移動して開放する場合に、ガイドバー３２の間のウェイトバー３４を設けたスクリーン部分の内側への湾曲を、ウェイトバー３４の重さで付勢し、下降中にガイドバー３２の間のスクリーン部分が歪んで折れるような変形を起こしたり、ガイドバー３２が斜めに傾いて動きが悪くなることを抑制可能としている。
【０１４７】
スクリーン２６の上端に配置したガイドバー３２の略中央にはバックル金具８６を設け、図１４（Ａ）に示すように、扉開口６４の上部に設けたバックル装置６６にバックル金具８６に差し込んで保持し、これによりスクリーン２６を展開状態に支持して扉開口を閉鎖している。
【０１４８】
スクリーン２６を開放する場合には、バックル装置６６に設けたレバーを手前に引くことで、バックル金具８６によるスクリーン２６の保持を解除し、スクリーン２６をガイドバー３２及びウェイトバー３４と共にガイド部に沿って落下させ、落下したスクリーン２６を扉開口６４の下部内側に折り畳んだ状態として開放する。
【０１４９】
（スクリーンガイド構造）
図１８はスクリーン扉上部のガイド構造を部分的に取り出して示した説明図である。図１８に示すように、スクリーン扉に設けた扉枠６２の裏側には、ガイド溝９０を上下方向に開口した鞘状の第１ガイドレール８０を配置しており、ガイド溝９０の中にスクリーン２６の上端裏面に配置したガイドバー３２の両端に軸支したローラ８８を嵌め入れている。
【０１５０】
第１ガイドレール８０に続いては奥行方向に所定の隙間を介して第２ガイドレール８２を配置しており、第１ガイドレール８０との隙間が第２ガイドレール８２のガイド溝９２を形成している。第２ガイドレール８２のガイド溝９２には、スクリーン２６の裏面に配置したウェイトバー３４の両端を内側に屈曲したストッパ部３４ａが入り、ウェイトバー３４をガイド溝９２に沿って上下方向に案内移動させると共に、スクリーン２６の展開状態でウェイトバー３４の前方及び奥行方向への動きを規制し、スクリーン２６をフラットな状態に保つことを可能としている。
【０１５１】
また、ガイドバー３２及びウェイトバー３４により上下に移動するスクリーン２６の両端は、扉枠６２の裏面に位置して前に出ることがなく、このためバックル装置の操作によりスクリーン２６を落下させた場合、スクリーン２６は扉開口６４から外側に飛び出すことがなく、確実に扉開口６４の下部の内側に折り畳み状態とすることを可能とする。
【０１５２】
図１９はスクリーン扉下部のガイド構造を部分的に取り出して示した説明図である。図１９に示すように、ウェイトバー３４を案内移動する第２ガイドレール８２は、スクリーン２６の展開状態で、１番下のウェイトバー３４に至る手前の位置で、斜め下向きに切欠してガイドレール終端９４を形成しており、ガイドレール終端９４に続いて下方内側に湾曲ガイドレール８４を延在している。
【０１５３】
このように第２ガイドレール８２の下側を終端して、その下側でウェイトバー３４の奥行方向への規制を解除することで、バックル装置の操作により落下するスクリーン２６を扉開口６４の下部内側へ折り畳むためにスクリーン２６が湾曲する動きを妨げないようにしている。
【０１５４】
また、スクリーン２６の下端に設けたガイドバー３２は両端に軸支したローラ８８を第１ガイドレール８０のガイド溝９０に入れて回転自在に支持しており、バックル装置の操作によりスクリーン２６を落下した場合、ローラ８８により下端のガイドバー３２を内側に回転し、この動きによりスクリーン２６を内側に振って扉開口６４の下部内側への折り畳みを確実に開始可能としている。
【０１５５】
また、スクリーン２６の展開状態で、一番下のウェイトバー３４はガイドレール終端９４から外れた下側に位置し、そのままでは奥行方向に動いてしまうフリー状態にあることから、扉枠６２の側面内側に張出片７８を配置し、張出片７８にフリーとなっているウェイトバー３４のストッパ部３４ａを当接することで、ウェイトバー３４の奥行方向への動きを規制してフラット性を維持している。張出片７８としては、上下には屈曲可能で横方向には動かない可撓性のある繊維入りの樹脂シート等を設ける。
【０１５６】
また、第２ガイドレール８２の終端から延在した湾曲ガイドレール８４は、扉開口６４の下部内側に折り畳み状態となっているスクリーン２６を引き上げて閉鎖する場合に、スクリーン２６の折り畳み状態で下部内側に位置しているウェイトバー３４を湾曲ガイドレール８４に当てて案内し、ウェイトバー３４がガイドレール終端９４を通って第２ガイドレール８２のガイド溝９２に滑らかに入ることを可能にしている。
【０１５７】
（開放操作に伴うスクリーンの動き）
図２０は開放操作によりスクリーンが下降して開放するまでの動きを取り出して模式的に示した説明図である。なお、図２０（Ａ）はガイド部を想像線で示しているが、図２０（Ｂ）〜（Ｅ）はガイド部を省略している。
【０１５８】
図２０（Ａ）はスクリーン２６を展開した閉鎖状態であり、上端のガイドバー３２に設けたバックル金具８６をバックル装置６６に嵌め入れ、スクリーン２６を展開する位置に保持している。この状態でバックル装置６６のレバーを操作してバックル金具８６の保持を解除すると、図２０（Ｂ）に示すように、下端のガイドバー３２を除く残りのガイドバー３２が第１ガイドレール８０のガイド溝に沿って一斉に下降を始め、これに伴いウェイトバー３４も一斉に下降を始め、スクリーン２６が全体として下降を始める。
【０１５９】
このとき下端のガイドバー３２は下降せずに停止していることから、その上に隣接するガイドバー３２の下降に伴って、ガイドバー３２の間のスクリーン２６の部分は内側に湾曲を始める。このガイドバー３２の間となるスクリーン２６の湾曲部分にはウェイトバー３４を配置しているため、ウェイトバー３４の重みによりスクリーン２６の湾曲部分を押し下げる力が加わり、スクリーン２６全体としての下降を勢い付ける。
【０１６０】
また、下端のガイドバー３２はローラ８８により第１ガイドレール８０に回転自在に支持しているため、スクリーン２６の落下に伴い下端のウェイトバー３４は内側に倒れ込むように回転し、これによりガイドバー３２の間となるスクリーン２６の部分を内側へ振って湾曲を促進させている。
【０１６１】
続いて図２０（Ｃ）のように、下から２番目のガイドバー３２が下端のガイドバー３２に当って停止すると、その上のガイドバー３２の下降に伴ってスクリーン２６に２番目の湾曲部分が形成される。以下同様にして、図２０（Ｄ）に示すように、３番目の湾曲部分が形成され、最終的に図２０（Ｅ）に示すように、３つの湾曲部分が重なってスクリーン２６を折り畳み状態とし、扉開口６４を開放する。
【０１６２】
［装置本体とホース収納部］
（装置本体）
図２１はホースを収納した装置本体を示した説明図であり、図２１（Ａ）に正面を示し、図２１（Ｂ）に側面から見た断面を示す。
【０１６３】
図２１に示すように、箱枠形に形成した装置本体１２は、前面の開口に扉取付部６５を設け、ここに図１５乃至図２０に示したスクリーン扉６０を嵌め入れてねじ止め固定する。また、装置本体１２の扉取付部６５に取り付けたスクリーン扉６０は、必要に応じて取り外すことにより、修理や交換等を可能とする。
【０１６４】
装置本体１２は内部を棚板部材９３で上下に仕切り、棚板部材９３の下側にホース収納空間９５を形成し、棚板部材９３の上側にパネル機器収納空間９６を形成している。
【０１６５】
（ホース収納部）
図２１に示すホース収納空間９５には、ホースフレーム７４をフレーム固定金具９８により装置本体１２の背面内壁に固定することにより、ホース収納部を設置している。
【０１６６】
ホース収納部は、図２２（Ａ）に、装置本体１２のホース収納空間９５を透視状態として模式的に示すように、パイプ部材を使用して形成したホースフレーム７４を装置本体１２内に配置している。
【０１６７】
ホースフレーム７４は、左右に前方に張り出した矩形フレーム部７４ａと装置本体１２の背面内壁に固定するフレーム固定部７４ｂを１本のパイプ部材を屈曲することにより形成している。
【０１６８】
ホースフレーム７４は装置本体１２の内部背面に固定した状態で、左右の縦方向に位置する矩形フレーム部７４ａと内部背面との間にホースを内巻することで、想像線で示す円環状に内巻きしたホース７０を左右から挟むように収納して保持する。また、装置本体１２の左右の内壁部分は、環状に内巻したホース７０の外周が当たることで、ホース収納部の横幅を決めている。
【０１６９】
また、ホースフレーム７４を背面内壁に固定することで、ホース収納状態で装置本体１２内の下部に、スクリーン扉を開放した場合に折り畳まれたスクリーンを収納するための空き空間を形成可能としている。
【０１７０】
また、ホースフレーム７４は左右の縦方向に矩形フレーム７４ａが位置するように配置することで、矩形フレーム部７４ａの間の縦長の空間をホース７０の取出し及び内巻き状態に巻き戻すために使用可能であり、縦に広いスペースを有効に利用してノズル付きのホース７０を引出して行う消火作業や、ホース７０を巻き戻す作業を行い易くする。
【０１７１】
再び図２１を参照するに、ホース７０の先端には開閉操作可能なノズル７２を装着し、内巻したホース７０の後端は消火栓弁７５の２次側に連結し、消火栓弁７５を開操作することで、消火ポンプから加圧供給された消火用水をホース７０側に供給するようにしている。
【０１７２】
また、消火栓弁７５の１次側は装置本体１２の側面に設けた配管接続口７７に連結しており、配管接続口７７には消火栓装置１０の設置状態で給水本管から分岐して立ち上げた給水管を接続する。
【０１７３】
（矩形フレーム部を上下の横方向に並べて配置したホース収納部の構造）
図２２（Ｂ）はホースフレームの矩形フレーム部を上下の横方向に並べて配置したホース収納部を模式的に示した説明図である。
【０１７４】
図２２（Ｂ）に示すホース収納部は、図２２（Ａ）に示した縦置きして配置したホースフレーム７４を、横置きして配置している。即ち、ホースフレーム７４はフレーム固定部７４ｂが左右の縦方向に位置するように装置本体１２の背面内壁に固定しており、上下の横方向に位置する矩形フレーム部７４ａと内部背面との間にホースを内巻することで、想像線で示す円環状に内巻きしたホース７０を上下から挟むように収納して保持する。また、装置本体１２の左右の内壁部分は、環状に内巻したホース７０の外周が当たることで、ホース収納部の横幅を決めている。
【０１７５】
また、ホースフレーム７４を背面内壁に固定することで、ホース収納状態で装置本体１２内の下部に、スクリーン扉を開放した場合に折り畳まれたスクリーンを収納するための空き空間を形成可能としている。
【０１７６】
また、ホースフレーム７４は上下の横方向に矩形フレーム７４ａが位置するように配置することで、矩形フレーム部７４ａの間の横長の空間をホース７０の取出し及び内巻き状態に巻き戻すために使用可能であり、横に広いスペースを有効に利用してノズル付きのホース７０を引出して行う消火作業や、ホース７０を巻き戻す作業を行い易くする。
【０１７７】
なお、ホース収納部の構造は、上記のホースフレーム７４の形状に限定されず、ホース７０を内巻して保持すると共にホース収納状態で下部に折り畳まれたスクリーンを収納する空き空間を形成するものであれば、適宜のフレーム形状及び固定構造を含む。
【０１７８】
［スクリーンを上側に開放する消火栓装置］
（消火栓装置の概要）
図２３はスクリーンを上側に開放する消火栓装置の実施形態を示した説明図であり、図２３（Ａ）は閉鎖状態を示し、図２３（Ｂ）は開放状態を示す。
【０１７９】
図２３（Ａ）に示すように、消火栓装置１０の装置本体１２は前面に矩形の開口枠１４により開口１６を形成し、開口１６の上部に発信機２０、赤色表示灯２２を備えた通報パネル１８を設けている。
【０１８０】
装置本体１２の開口１６の内側にはスクリーン２６を展開した状態で配置し、開口１６を閉鎖している。スクリーン２６は図５乃至図７に示した構造と基本的に同じであり、その裏面の上端、下端、及びその間に所定間隔で例えば４本のガイドバー３２を配置し、ガイドバー３２の間にウェイトバー３４を配置している。なお、ガイドバー３２の形状としては、全て上下に扁平な板状の棒状部材としても良いし、スクリーン下端に配置するガイドバー３２を円柱、円筒、半円等の下側を彎曲面とした部材として、ホースの接触抵抗を低減しても良い。
【０１８１】
装置本体１２の前面に設けた左右に位置する開口枠１４の内側には上下方向にガイド部３６を形成しており、ガイド部３６の中にスクリーン２６の裏面に配置したガイドバー３２の両端を摺動自在に嵌め入れている。このガイド構造も図３及び図４に示したと同じである。
【０１８２】
スクリーン２６の上端に配置したガイドバー３２は、開口１６の上部に配置した駆動機構４４の下に固定しており、スクリーン２６の下端に配置したガイドバー３２は開口下部に着脱自在に支持しており、これによりスクリーン２６を開口１６の内側で上下方向に展開して閉鎖状態としている。また、スクリーン２６の下端に配置したガイドバー３２には、上側に折り畳み状態に開放したスクリーン２６を引き下げて閉鎖状態とする場合に使用する取っ手３５を両側の２か所に設けている。
【０１８３】
スクリーン２６の裏面に配置したウェイトバー３４はその両端がガイド部３６に入らないようにガイドバー３２より短くしており、隣接する上下のガイドバー３２との間隔は図６に示したと同じになる。
【０１８４】
またスクリーン２６の両端は、図３及び図４から明らかなように、左右に位置する開口枠１４の内側に位置しており、これによりスクリーン２６を下側に移動して開放する場合、ガイドバー３２の間のスクリーン部分が開口１６からの外側への飛び出しことを抑制し、このため開放したスクリーン２６を必ず開口１６の上部内側に折り畳むことを可能としている。
【０１８５】
開口１６の上部に配置した駆動機構４４は、開口枠１４の内側に位置する両端部から下側にワイヤー（図示せず）を垂らしてスクリーン２６の下端に配置したガイドバー３２の両端に連結しており、このワイヤーを巻き取り方向に付勢している。この駆動機構４４としては、例えばロールカーテンに使用しているカーテン巻取り装置を利用することができる。
【０１８６】
また駆動機構４４の前部にはハンドル２８を設けており、ハンドル２８を時計回りに操作すると、スクリーン２６の下端に配置したガイドバー３２の保持を開閉機構４６により解除し、駆動機構４４によるワイヤーの巻き上げで、図９（Ｂ）に示すように、スクリーン２６は引き揚げ、引き揚げたスクリーン２６を開口１６の上部内側に折り畳まれた状態に移動し、装置本体１２の前面を開放する。
【０１８７】
（遠隔操作によるスクリーン開放機構）
図２４は図２３に示した消火栓装置の遠隔操作によるスクリーン開放機構を示した説明図である。
【０１８８】
図２４に示すように、スクリーン開放機構は、開口上部に設けたハンドル２８の回動操作による動きをワイヤー４８により開口下部に配置した開閉機構４６に伝えてスクリーン２６の下端に配置したガイドバー３２の保持を解除し、スクリーン２６を駆動機構４４により引き上げ、装置本体１２の前面を開放する。
【０１８９】
ハンドル２８の軸２８ａにレバー４７を固定し、レバー４７の先端にワイヤー４８を締結し、ローラ４９，５０を経由して開閉機構４６にワイヤー４８を引き込んでいる。
【０１９０】
開閉機構４６は、軸５４により回動自在なリンクレバー５２を設け、リンクレバー５２の下端にワイヤー４８を締結すると共に、バネ５８を設けて、リンクレバー５２を反時計回りに付勢している。
【０１９１】
リンクレバー５２の上端にはフック爪５６を、スクリーン２６の下端に配置したガイドバー３２に設けたフック金具４０のフック穴に嵌め入れて保持している。
【０１９２】
ハンドル２８を矢印のように時計回りに回動操作すると、レバー４７の回動に伴いワイヤー４８を引き込み、このワイヤー４８の動きを開閉機構４６のリンクレバー５２に伝達し、リンクレバー５２を時計回りに回動し、フック爪５６をフック金具４０から外してガイドバー３２の保持を解除し、ガイドバー３２を上部に配置した駆動機構４４のワイヤー巻き上げにより引き上げ、スクリーン２６を開口上部の内側に畳み込み状態として装置本体１２の前面を開放する。
【０１９３】
また、開閉機構４６としては、磁石による固定方式としても良い。この場合には、ハンドル操作に連動して磁石部をスクリーン下端のガイドバー３２から切り離す構造とすれば良い。
【０１９４】
（開放操作に伴うスクリーンの動き）
図２５はスクリーン開放操作によりスクリーンを引き上げて開放する動きを示した説明図であり、図２５（Ａ）は閉鎖状態を示し、図２５（Ｂ）は開放状態を示している。
【０１９５】
図２５（Ａ）に示す閉鎖状態でハンドル２８を操作し、図２４に示した開閉機構４６の遠隔操作でスクリーン２６の下端に配置したガイドバー３２の保持を解除すると、駆動機構４４から引き出して連結しているワイヤーの巻き上げにより、下端のガイドバー３２はガイド部３６に沿って上昇を始め、これに伴いガイドバー３２の間隔が下側から順次縮んで行くことで、その間のスクリーン２６の部分は内側に湾曲を始め、内側に湾曲しながら折り畳まれるようにして上昇する。
【０１９６】
このときガイドバー３２の間となるスクリーン２６の湾曲部分にはウェイトバー３４を配置しているため、ウェイトバー３４の重みによりスクリーン２６の湾曲部分を押し下げる力が加わり、スクリーン２６の湾曲が滑らかに行われ、スクリーン２６の折れ曲がり等を起こすことなく、図２５（Ｂ）に示すように、スクリーン２６は開口上部の内側に折り畳まれた状態に引き上げられ、装置本体１２の前面を開放する。
【０１９７】
この消火栓装置１０の開放状態で、スクリーン２６は外側に飛び出すことなく上部内側に折り畳まれた状態で位置するため、消火栓装置１０からホースを引き出して行う消火作業の妨げとはならない。
【０１９８】
また、消火栓装置１０により消火作業を終了し、水抜きしたホースを収納した場合には、折り畳み状態となって開放しているスクリーン２６の下端のガイドバー３２に設けている取っ手３５を両手で持って引き上げ、フック金具４０に開閉機構４６のラッチ爪を嵌め入れて展開状態に保持することで閉鎖する。
【０１９９】
（手動操作によるスクリーン開放構造）
また、図１１の実施形態でスクリーン２６を上側に開放する構造としては、駆動機構４４を設けず、単純にスクリーン下端のガイドバー３２に設けている取っ手３５を手で持ち上げて開放する構造としても良い。この手動による開放の場合、各ガイドバー３２に磁石部を付け、持ち上げたときに隣接するガイドバー３２に付けた磁石部が引き合って吸着固定することで、持ち上げたスクリーン２６を上部に折り畳んだ状態に保持すれば良い。
【０２００】
（スクリーン突き離し開放機構）
また、図２３乃至図２５に示したスクリーンを上側に開放する消火栓装置の実施形態についても、図１３の実施形態と同様に、スクリーン突き離し機構を設け、スクリーン開放機構３０によりスクリーン２６の下端に配置したガイドバー３２を支持した状態で開方向となる上方向に付勢し、ハンドル２８の操作により遠隔的にガイドバー３２の支持を解除した場合に、上方向に突き離して上昇させながら駆動機構４４により引き上げるようにしても良い。
【０２０１】
これによりスクリーン下端のガイドバー３２を左右対称となるバランスのとれた位置で上方向に突き離すため、ガイドバー３２は水平状態を保ったまま上昇して駆動機構４４により引き上げられ、途中て傾いて止まってしまうようなことを確実に防止可能とする。
【０２０２】
また、長期間に亘り設置している間に埃が堆積して固まる等してガイドバー３２が動かなかったり、動きが悪くなっていても、強制的に上方向に突き離すため、長期間に亘りスクリーン２６を閉鎖状態に保持していても、確実に開放可能とする。
【０２０３】
（装置本体とスクリーン扉の分割構造）
また、図２３乃至図２５に示したスクリーンを上側に開放する消火栓装置の実施形態についても、図１４乃至図２２の実施形態と同様に、装置本体１２とスクリーン扉側を分割し、装置本体１２の開口にスクリーン扉側を取外し自在に設けるようにしても良い。
【０２０４】
［スクリーンを右側に開放する消火栓装置］
図２６はスクリーンを右側に開放する消火栓装置の実施形態を示した説明図であり、図２６（Ａ）は閉鎖状態を示し、図２６（Ｂ）は開放状態を示す。
【０２０５】
図２６（Ａ）に示すように、消火栓装置１０の装置本体１２は前面に矩形の開口枠１４により開口１６を形成し、開口１６の上部に発信機２０、赤色表示灯２２を備えた通報パネル１８を設けている。
【０２０６】
装置本体１２の開口１６の内側にはスクリーン２６を展開した状態で配置し、開口１６を閉鎖している。スクリーン２６は、その裏面の上端、下端、及びその間に所定間隔で例えば４本のガイドバー３２を配置している。その詳細は図５乃至図７に示した構造からウェイトバー３４を除いた構造と基本的に同じになる。なお、ガイドバー３２の形状としては、全て左右に扁平な板状の棒状部材としても良いし、スクリーン左端に配置するガイドバー３２を円柱、円筒、半円等の下側を彎曲面とした部材として、ホースの接触抵抗を低減しても良い。
【０２０７】
装置本体１２の前面に設けた上下に位置する開口枠１４の内側には左右方向にガイド部３６を形成しており、ガイド部３６の中にスクリーン２６の裏面に配置したガイドバー３２の両端を摺動自在に嵌め入れている。
【０２０８】
スクリーン２６の右端に配置したガイドバー３２は開口１６の右端に固定しており、スクリーン２６の左端に配置したガイドバー３２はハンドル２８を備えたスクリーン開放機構３０により着脱自在に支持しており、これによりスクリーン２６を開口１６の内側で左右方向に展開して閉鎖状態としている。また、スクリーン２６の左端に配置したガイドバー３２には、右側に折り畳み状態に開放したスクリーン２６を左側に引いて閉鎖状態とする場合に使用する取っ手３５を上下の２か所に設けている。
【０２０９】
スクリーン２６の上下端は、上下に位置する開口枠１４の内側に位置しており、これによりスクリーン２６を右側に移動して開放する場合、ガイドバー３２の間のスクリーン部分の開口１６から外側への飛び出しを防止し、開放したスクリーン２６を必ず開口１６の右側内部に折り畳むことを可能としている。
【０２１０】
開口１６の右端には駆動機構４４を配置している。駆動機構４４は、上端部及び下端部から左側にワイヤー（図示せず）を引き出してスクリーン２６の左端に配置したガイドバー３２の上端部及び下端部に連結しており、このワイヤーを巻き取り方向に付勢している。この駆動機構４４としては、例えばロールカーテンに使用しているカーテン巻取り装置を利用することができる。
【０２１１】
消火栓装置１０を開放する場合には、開口左側に設けたハンドル２８を時計回りに操作すると、スクリーン２６の左端に配置したガイドバー３２の保持を解除し、駆動機構４４によるワイヤーの巻き込みで、図２６（Ｂ）に示すように、スクリーン２６を開口１６の右側内部に折り畳まれた状態に移動し、装置本体１２の前面を開放する。
【０２１２】
即ち、図２６（Ａ）に示す閉鎖状態でハンドル２８を操作し、スクリーン２６の左端に配置したガイドバー３２の保持を解除すると、駆動機構４４から引き出して連結しているワイヤーの巻取りにより、左端のガイドバー３２はガイド部３６に沿って右側に移動を始め、これに伴いガイドバー３２の間隔が左側から順次縮んで行くことで、その間のスクリーン２６の部分は内側に湾曲を始め、内側に湾曲しながら折り畳まれるようにして移動し、図２６（Ｂ）に示すように、開口１６の右側内部に折り畳まれた状態となって、装置本体１２の前面を開放する。
【０２１３】
この消火栓装置１０の開放状態で、スクリーン２６は外側に飛び出すことなく右側内部に折り畳まれた状態で位置するため、消火栓装置１０からホースを引き出して行う消火作業の妨げとはならない。
【０２１４】
また、消火栓装置１０により消火作業を終了し、水抜きしたホースを収納した場合には、折り畳み状態となってスクリーン２６の左端のガイドバー３２に設けている取っ手３５を両手で持って左側に引き、フック金具４０に開口左側のスクリーン開放機構３０のラッチ爪を嵌め入れて展開状態に保持することで閉鎖する。
【０２１５】
なお、スクリーン開放機構３０としては、磁石による固定方式としても良い、この場合には、ハンドル操作に連動して磁石部をスクリーン上端のガイドバー３２から切り離す構造とすれば良い。
【０２１６】
また、スクリーン２６を右側に開放する構造としては、駆動機構４４を設けず、単純にスクリーン左端のガイドバー３２に設けている取っ手３５を手で横に引いて開放する構造としても良い。この手動による開放の場合、各ガイドバー３２に磁石部を付け、横に引いて開いたときに隣接するガイドバー３２に付けた磁石部が引き合って吸着固定することで、開放したスクリーン２６を右端に折り畳んだ状態に保持すれば良い。
【０２１７】
また、図２６に示したスクリーンを右側に開放する消火栓装置の実施形態についても、図１３の実施形態と同様に、スクリーン突き離し機構を設け、スクリーン開放機構３０によりスクリーン２６の左端に配置したガイドバー３２を支持した状態で開方向となる右方向に付勢し、ハンドル２８の操作によりガイドバー３２の支持を解除した場合に右方向に突き離して移動させながら駆動機構４４により引くようにしても良い。
【０２１８】
これによりスクリーン左端のガイドバー３２を上下対称となるバランスのとれた位置で右方向に突き離すため、ガイドバー３２は垂直状態を保ったまま移動して駆動機構４４により引かれ、途中で傾いて止まってしまうようなことを確実に防止可能とする。
【０２１９】
また、図２６に示したスクリーンを右側に開放する消火栓装置の実施形態についても、図１４乃至図２２の実施形態と同様に、装置本体１２とスクリーン扉側を分割し、装置本体１２の開口にスクリーン扉側を取外し自在に設けるようにしても良い。
【０２２０】
また、長期間に亘り設置している間に埃が堆積して固まる等してガイドバー３２が動かなかったり、動きが悪くなっていても、強制的に右方向に突き離すため、長期間に亘りスクリーン２６を閉鎖状態に保持していても、確実に開放可能とする。
【０２２１】
さらに，図２６はスクリーン２６を右側に移動して装置本体１２の前面を開放するようにしているが、スクリーン２６を左側に移動して装置本体１２の前面を開放するようにしても良く、この場合には、図２６のスクリーン２６、スクリーン開放機構３０及び駆動機構４４の位置関係を左右逆に入れ替えた構成とすれば良い。
【０２２２】
［本発明の変形例］
上記の実施形態は、屋内に設置する消火栓装置を例にとるものであったが、これ以外に、自動車専用道路等のトンネル内に設置するトンネル用消火栓装置についても、装置本体の開口に、上記の実施形態と同様に、スクリーンを用いた開閉構造を設けるようにしても良い。
【０２２３】
また、上記の実施形態は二人操作を行う消火栓装置を例にとっているが、一人操作を行う消火栓装置や補助散水栓装置についても同様に適用できる。また、人の手によって、通常閉鎖されている収納箱の内部に収納された各種装置等を取り出したり操作したりする消火栓装置である限りにおいて、収納箱の内部に設ける装置類は任意であり、例えば上記実施形態のものに加え消火ポンプの起動スイッチボタン等を設けた消火栓装置についても同様に適用できる。
【０２２４】
また、上記各実施形態で示した消火栓装置の、例えば装置本体に内蔵されるホース類や消火栓弁、通報パネル部の構成及び配置その他、スクリーン部分以外の構成についても任意であり、適宜の構成を採用して良い。要するに、消火栓装置の開口部に対しスクリーンを用いた開閉構造を設け、本願の課題の一部又は全部を解決し、或いは若干でも改善するものであれば良い。
【０２２５】
また、発信機は必ずしも消火栓と一対でなくてもよく、発信機の設置場所は消火栓の場所によらず適宜設計配置されてもよい。
【０２２６】
また、図１０に示した遠隔開閉機構は一例であり、ハンドル操作によりスクリーンの保持を解除して開放させる構造であれば、適宜の機構構造を用いても良い。
【０２２７】
また、上記の実施形態は、非常表示灯、発信機及び音響装置を設けた通報装置扉を例にとっているが、非常表示灯、発信機又は音響装置の少なくとも何れか１つを通報装置扉に設けた消火栓装置としても良い。
【０２２８】
また、上記の実施形態は、通報装置扉を設けた消火栓装置を例にとっているが、通報装置扉に設けていない消火栓装置としても良い。
【０２２９】
また、図１４〜図２２の実施形態は、スクリーン開閉機構として、バックル装置を例にとっているが、押し釦やレバーの操作によりラッチを解除したりマグネットの吸着を解除する適宜の装置を用いるようにしても良い。
【０２３０】
また、本発明は、その目的と利点を損なうことのない適宜の変形を含み、更に、上記の実施形態に示した数値による限定は受けない。
【符号の説明】
【０２３１】
１０：消火栓装置
１２：装置本体
１４：開口枠
１６：開口
１８：通報パネル
２０：発信機
２２：赤色表示灯
２４：音響孔
２６：スクリーン
２６ａ：湾曲部分
２８：ハンドル
３０：スクリーン開放機構
３２：ガイドバー
３４：ウェイトバー
３４ａ：ストッパ部
３５：取っ手
３６：ガイド部
３８：ガイド枠
４０：フック金具
４０ａ：フック穴
４２：フック爪
４４：駆動機構
６０：スクリーン扉
６２：扉枠
６４：扉開口
６５：扉取付部
６６：バックル装置
６８：ガイド部
７０：ホース
７２：ノズル
７４：ホースフレーム
７４ａ：矩形フレーム部
７４ｂ：フレーム固定部
７５：消火栓弁
７８：張出片
８０：第１ガイドレール
８２：第２ガイドレール
８４：湾曲ガイドレール
８６：バックル金具
８８：ローラ
９０，９２：ガイド溝
９４：ガイドレール終端
９５：ホース収納空間
９６：パネル機器収納空間
９８：フレーム固定金具
【図１】
0006486704.tif 000002
【図２】
0006486704.tif 000003
【図３】
0006486704.tif 000004
【図４】
0006486704.tif 000005
【図５】
0006486704.tif 000006
【図６】
0006486704.tif 000007
【図７】
0006486704.tif 000008
【図８】
0006486704.tif 000009
【図９】
0006486704.tif 000010
【図１０】
0006486704.tif 000011
【図１１】
0006486704.tif 000012
【図１２】
0006486704.tif 000013
【図１３】
0006486704.tif 000014
【図１４】
0006486704.tif 000015
【図１５】
0006486704.tif 000016
【図１６】
0006486704.tif 000017
【図１７】
0006486704.tif 000018
【図１８】
0006486704.tif 000019
【図１９】
0006486704.tif 000020
【図２０】
0006486704.tif 000021
【図２１】
0006486704.tif 000022
【図２２】
0006486704.tif 000023
【図２３】
0006486704.tif 000024
【図２４】
0006486704.tif 000025
【図２５】
0006486704.tif 000026
【図２６】
0006486704.tif 000027
【図２７】
0006486704.tif 000028